(57)【要約】      （修正有）【課題】紙葉類の損傷を大幅に低減する紙葉類収納装置を提供する。【解決手段】搬送路を形成する第１搬送ガイド及び第２搬送ガイド４８と、搬送路の両横に配置され、搬送方向の上流側に搬送路幅を規制する幅規制部が形成されると共に、当該幅規制部よりも搬送方向の下流側に搬送路幅を徐々に狭める幅変更部が形成される第１サイドガイド５５及び第２サイドガイド５６と、第１サイドガイド５５及び第２サイドガイド５６から第１搬送ガイド側へ張り出すように設けられ、端部が捲るように変形した紙葉類の浮き上がりを抑える第１抑えガイド５７及び第２抑えガイド５８とを設けることにより、紙葉類の搬送路幅方向の端部を捲るように変形させた際、当該紙葉類の端部を第１抑えガイド５７及び第２抑えガイド５８に押し付けるようにして摺動させて浮き上がりを抑える。【選択図】図９
2014197272.tif 000002
【特許請求の範囲】
【請求項１】
紙葉類を所定の搬送方向へ搬送するための搬送路を形成する一対の第１搬送ガイド及び第２搬送ガイドと、
上記搬送路の両横に互いの一面を対向させて配置され、互いの当該一面において上記搬送方向の上流側に搬送路幅を規制する幅規制部が形成されると共に、上記幅規制部よりも上記搬送方向の下流側に当該幅規制部によって規制する上記搬送路幅を徐々に狭めるように変更する幅変更部が形成される一対の第１サイドガイド及び第２サイドガイドと、
一対の上記第１サイドガイド及び第２サイドガイドから上記第１搬送ガイド側へ張り出すように設けられ、上記搬送路を介して上記搬送方向へ搬送される上記紙葉類の上記端部が上記第１搬送ガイド側へ捲るように変形した際、当該紙葉類の浮き上がりを抑える一対の第１抑えガイド及び第２抑えガイドと
を具える紙葉類収納装置。
【請求項２】
上記搬送路に取り込まれた上記紙葉類を挟み込むようにして上記搬送方向の上記上流側から上記下流側へ搬送するように駆動した状態で、当該紙葉類を一対の上記第１サイドガイド及び第２サイドガイドの上記幅規制部間及び上記幅変更部間を順に通過させる搬送駆動部
を具える請求項１に記載の紙葉類収納装置。
【請求項３】
一対の上記第１搬送ガイド及び第２搬送ガイドは、
上記紙葉類を上記搬送方向の上記下流側の当該紙葉類を収納する紙葉類収納スペースへ搬送するための上記搬送路を形成し、
一対の上記第１サイドガイド及び第２サイドガイドは、
上記搬送路の両横から上記紙葉類収納スペースの両横に亘って互いの上記一面を対向させて配置され、互いの当該一面において上記搬送路及び上記紙葉類収納スペースの境界付近よりも上記搬送方向の上記上流側に上記幅規制部が形成されると共に、上記幅規制部よりも上記搬送方向の上記下流側となる上記境界付近に上記幅変更部が形成された
請求項２に記載の紙葉類収納装置。
【請求項４】
一対の上記第１抑えガイド及び第２抑えガイドは、
一対の上記第１サイドガイド及び第２サイドガイドの上記搬送方向に沿った一端側から他端側に亘って設けられた
請求項３に記載の紙葉類収納装置。
【請求項５】
上記第１抑えガイドは、
上記第１サイドガイドの上記一面に設けられ、
上記第２抑えガイドは、
上記第２サイドガイドの上記一面に設けられた
請求項４に記載の紙葉類収納装置。
【請求項６】
一対の上記第１サイドガイド及び第２サイドガイドは、
交換可能に設けられた
請求項４に記載の紙葉類収納装置。
【請求項７】
一対の上記第１抑えガイド及び第２抑えガイドは、
上記第１搬送ガイドに取付位置が上記搬送路幅方向へ変更可能なように設けられた
請求項４に記載の紙葉類収納装置。
【請求項８】
上記第１サイドガイドは、
上記一面に上記第１抑えガイドと係合可能な段差部が設けられ、
上記第２サイドガイドは、
上記一面に上記第２抑えガイドと係合可能な段差部が設けられた
請求項７に記載の紙葉類収納装置。
【請求項９】
一対の上記第１サイドガイド及び第２サイドガイドは、
互いの上記一面の間隔が変更可能なように設けられた
請求項８に記載の紙葉類収納装置。
【請求項１０】
取扱対象の紙葉類を所定の搬送方向へ搬送するための搬送路を形成する一対の第１搬送ガイド及び第２搬送ガイドと、
上記搬送路の両横に互いの一面を対向させて配置され、互いの当該一面において上記搬送方向の上流側に搬送路幅を規制する幅規制部が形成されると共に、上記幅規制部よりも上記搬送方向の下流側に当該幅規制部によって規制する上記搬送路幅を徐々に狭めるように変更する幅変更部が形成される一対の第１サイドガイド及び第２サイドガイドと、
一対の上記第１サイドガイド及び第２サイドガイドから上記第１搬送ガイド側へ張り出すように設けられ、上記搬送路を介して上記搬送方向へ搬送される上記紙葉類の上記端部が上記第１搬送ガイド側へ捲るように変形した際、当該紙葉類の浮き上がりを抑える一対の第１抑えガイド及び第２抑えガイドと
を具える紙葉類取扱装置。
【請求項１１】
搬送対象の紙葉類を所定の搬送方向へ搬送するための搬送路を形成する一対の第１搬送ガイド及び第２搬送ガイドと、
上記搬送路の両横に互いの一面を対向させて配置され、互いの当該一面において上記搬送方向の上流側に搬送路幅を規制する幅規制部が形成されると共に、上記幅規制部よりも上記搬送方向の下流側に当該幅規制部によって規制する上記搬送路幅を徐々に狭めるように変更する幅変更部が形成される一対の第１サイドガイド及び第２サイドガイドと、
一対の上記第１サイドガイド及び第２サイドガイドから上記第１搬送ガイド側へ張り出すように設けられ、上記搬送路を介して上記搬送方向へ搬送される上記紙葉類の上記端部が上記第１搬送ガイド側へ捲るように変形した際、当該紙葉類の浮き上がりを抑える一対の第１抑えガイド及び第２抑えガイドと
を具える紙葉類搬送装置。
【発明の詳細な説明】
【技術分野】
【０００１】
本発明は紙葉類収納装置、紙葉類取扱装置及び紙葉類搬送装置に関し、例えば、現金としての長方形の紙幣の入金及び出金の取引を行う現金自動預払機（ATM：Automatic  Teller  Machine）に適用して好適なものである。
【背景技術】
【０００２】
従来の現金自動預払機は、入出金用の複数の紙幣を収納するための紙幣収納庫が設けられている。紙幣収納庫内には、紙幣を、当該紙幣の一方の長辺を搬送方向へ向けた搬送姿勢（すなわち、紙幣の一方の長辺を搬送方向の上流側へ位置させ、かつ他方の長辺を当該搬送方向の下流側に位置させた搬送姿勢）で、取込及び繰出用に搬送するための搬送路（以下、これを取込繰出搬送路とも呼ぶ）が形成されている。
【０００３】
また紙幣収納庫内には、取込繰出搬送路に繋がる紙幣収納スペースに、複数の紙幣を順に重ねるようにして載上する（すなわち、集積する）ための略長方形平板状のステージが昇降可能に設けられている。
【０００４】
そして紙幣収納庫内には、取込繰出搬送路及び紙幣収納スペースの両横に、当該取込繰出搬送路の横幅を規制し、紙幣取込時に取込繰出搬送路を介して搬送される紙幣をステージ上へ案内するための一対のサイドガイドが、紙幣の長辺の長さよりも長い所定の間隔で対向配置されている。
【０００５】
因みに、取込繰出搬送路の横幅は、当該取込繰出搬送路を介して紙幣を搬送する際の当該紙幣の一面とは平行で、かつ紙幣の搬送方向とは直交する方向の長さであり、以下、これを搬送路幅とも呼ぶ。
【０００６】
また、以下の説明では、取込繰出搬送路を介して紙幣を搬送する際の当該紙幣の一面とは平行で、かつ紙幣の搬送方向とは直交する方向を、搬送路幅方向とも呼ぶ。
【０００７】
これにより現金自動預払機では、紙幣収納庫が取込繰出搬送路に紙幣を取り込んだ際、当該紙幣の中心が搬送路幅の中心から搬送路幅方向へずれていても、その紙幣を取込繰出搬送路に詰まらせることなくステージ側へ搬送していた（例えば、特許文献１参照）。
【先行技術文献】
【特許文献】
【０００８】
【特許文献１】特開２０１２−７６９１４公報（第３頁、第４頁、図３）
【発明の概要】
【発明が解決しようとする課題】
【０００９】
ところで、係る構成の現金自動預払機では、紙幣収納庫において取込繰出搬送路及び紙幣収納スペースの両横に配置される一対のサイドガイドの対向面を平行な平面とし、ステージの横幅を搬送路幅と等しくすると、取込繰出搬送路に取り込んだ紙幣の中心が搬送路幅の中心から搬送路幅方向へずれていた場合、当該紙幣を搬送路幅方向へずらしたままステージに載上することになる。
【００１０】
その結果、現金自動預払機では、紙幣収納庫においてステージに複数の紙幣を揃えるように重ねて載上することができず、当該ステージ上の複数の紙幣が、その一面を傾けて崩れたような状態になる集積不良が発生する場合がある。
【００１１】
このため従来、現金自動預払機に設けられる紙幣収納庫としては、当該紙幣収納庫に取り込んだ紙幣をステージに極力揃えるように重ねて載上するために、図２２及び２３に示すように構成されたものがある。
【００１２】
因みに、以下の説明では、図中に矢印ａ１０で示す方向を、左方向とも呼び、当該左方向とは逆の方向を、右方向とも呼び、これら左方向及び右方向を特に区別する必要がない場合は、これらをまとめて左右方向とも呼ぶ。
【００１３】
また、以下の説明では、図中に矢印ｂ１０で示す方向を、上方向とも呼び、当該上方向とは逆の方向を、下方向とも呼び、これら上方向及び下方向を特に区別する必要がない場合は、これらをまとめて上下方向とも呼ぶ。
【００１４】
さらに、以下の説明では、図中に矢印ｃ１０で示す方向を、前方向とも呼び、当該前方向とは逆の方向を、後方向とも呼び、これら前方向及び後方向を特に区別する必要がない場合は、これらをまとめて前後方向とも呼ぶ。
【００１５】
図２２及び図２３に示すように、紙幣収納庫２００は、一対の第１搬送ガイド２０１及び第２搬送ガイド２０２によって形成される取込繰出搬送路２０３、及び当該取込繰出搬送路２０３に繋がる紙幣収納スペース２０４の両横に一対の第１サイドガイド２０５及び第２サイドガイド２０６が互いの一面２０５Ａ、２０６Ａを対向させて配置されている。
【００１６】
因みに、以下の説明では、一対の第１搬送ガイド２０１及び第２搬送ガイド２０２のうち、上側に位置する一方の第１搬送ガイド２０１を、上搬送ガイド２０１とも呼び、下側に位置する他方の第２搬送ガイド２０２を、下搬送ガイド２０２とも呼ぶ。
【００１７】
また、以下の説明では、一対の第１サイドガイド２０５及び第２サイドガイド２０６のうち、取込繰出搬送路２０３及び紙幣収納スペース２０４の左横に位置する一方の第１サイドガイド２０５を、左サイドガイド２０５とも呼び、当該取込繰出搬送路２０３及び紙幣収納スペース２０４の右横に位置する他方の第２サイドガイド２０６を、右サイドガイド２０６とも呼ぶ。
【００１８】
この場合、左サイドガイド２０５及び右サイドガイド２０６は、互いの一面２０５Ａ、２０６Ａの後端部に、取込繰出搬送路２０３の搬送路幅をステージ２０７の長辺の長さよりも長い（すなわち、紙幣２０８の長辺の長さよりも長い）所定の幅に規制するための幅規制部（以下、これらを幅規制面とも呼ぶ）２０５ＡＸ、２０６ＡＸが所定の深さの切欠面として形成されている。
【００１９】
また左サイドガイド２０５及び右サイドガイド２０６は、互いの一面２０５Ａ、２０６Ａの中央部に、搬送路幅を紙幣収納スペース２０４側へ徐々に狭めるように変更するための幅変更部（以下、これらを幅変更面とも呼ぶ）２０５ＡＹ、２０６ＡＹが傾斜面として形成されている。
【００２０】
因みに、以下の説明では、左サイドガイド２０５及び右サイドガイド２０６の互いの一面２０５Ａ、２０６Ａに所定の深さの切欠面として形成された幅規制部２０５ＡＸ、２０６ＡＸを、それぞれ幅規制面２０５ＡＸ、２０６ＡＸとも呼ぶ。
【００２１】
また、以下の説明では、左サイドガイド２０５及び右サイドガイド２０６の互いの一面２０５Ａ、２０６Ａに傾斜面として形成された幅変更部２０５ＡＹ、２０６ＡＹを、それぞれ幅変更面２０５ＡＹ、２０６ＡＹとも呼ぶ。
【００２２】
さらに紙幣収納庫２００は、三角柱状の一対の第１抑えガイド２０９及び第２抑えガイド２１０が、互いの傾斜面２０９Ａを後斜め下側に向けた姿勢で、左サイドガイド２０５及び右サイドガイド２０６の前斜め上側に配置されている。
【００２３】
因みに、以下の説明では、一対の第１抑えガイド２０９及び第２抑えガイド２１０のうち、左側に位置する一方の第１抑えガイド２０９を、左抑えガイド２０９とも呼び、右側に位置する他方の第２抑えガイド２１０を、右抑えガイド２１０とも呼ぶ。
【００２４】
紙幣収納庫２００は、係る構成のもと、取込繰出搬送路２０３に取り込んだ紙幣２０８の中心が搬送路幅の中心から例えば、左方向へずれていた場合、当該紙幣２０８を紙幣収納スペース２０４側へ搬送しながら、左サイドガイド２０５の幅変更面２０５ＡＹに紙幣２０６の左前角部を押し付けるようにして徐々に上側へ捲るように変形させる。
【００２５】
そして紙幣収納庫２００は、紙幣２０８を、このように左方向の端部である左の短辺側を上側へ捲るように変形させたまま、取込繰出搬送路２０３の一端からステージ２０７の上側へ放出する。
【００２６】
これにより紙幣収納庫２００は、紙幣２０８に作用する復元力により、左の短辺側において上側へ捲るように変形していた部分（以下、これを捲れ変形部分とも呼ぶ）を元の平坦な状態に戻しながら、当該紙幣２０８を左サイドガイド２０５の一面２０５Ａから離隔させるようにして右側へ変位させる。
【００２７】
また紙幣収納庫２００は、この際、紙幣２０８の左前角部を、左抑えガイド２０９の傾斜面２０９Ａに突き当てて下縁まで滑らせることにより、当該左抑えガイド２０９により紙幣２０８を浮き上がらないように抑えるようにして落下させる。
【００２８】
このようにして紙幣収納庫２００は、紙幣取込時に紙幣２０８の中心が搬送路幅の中心から搬送路幅方向へずれていても、左サイドガイド２０５及び左抑えガイド２０９や右サイドガイド２０６及び右抑えガイド２１０により、そのずれを矯正して、当該紙幣２０８をステージ２０７の一面２０７Ａの中央部に極力揃えて載上することができる。
【００２９】
ところで、最近では、現金自動預払機を日本のみならず、海外でも使用することが考えられている。ただし、海外の紙幣は、日本の紙幣のように長方形に形成されているものの、発行された国や金種等によって日本の紙幣とはサイズ（すなわち、長辺の長さや短辺の長さ）が異なっている。
【００３０】
このため、上述した紙幣収納庫２００については、日本や海外で使用される現金自動預払機に搭載される場合、その使用国に特化して構成する（すなわち、使用国の紙幣のみを収納するように構成する）と、当該紙幣収納庫２００の種類が増えて製造が煩雑化することになる。
【００３１】
従って、紙幣収納庫２００については、日本及び海外の紙幣をサイズの違いによらず何れも収納することができるように構成する（すなわち、紙幣収納庫２００を日本及び海外の紙幣の何れの収納にも兼用可能なように構成する）ことが望まれている。
【００３２】
そして紙幣収納庫２００については、例えば、日本及び海外の紙幣の種々のサイズのうち、最も大きなサイズを基準にし、また必要に応じて他のサイズも考慮して各部を構成すれば、日本及び海外の紙幣を何れもサイズの違いによらずに収納することができるようになると考えられる。
【００３３】
すなわち、紙幣収納庫２００では、ステージ２０７の一面２０７Ａの大きさを、サイズの最も大きい紙幣を載上可能なように選定すれば、当該ステージ２０７の一面２０７Ａに、サイズの異なる紙幣を何れも順に重ねるように載上し得ると考えられる。
【００３４】
また紙幣収納庫２００では、左サイドガイド２０５及び右サイドガイド２０６により搬送路幅を、長辺の最も長い紙幣を搬送可能なように規制すれば、取込繰出搬送路２０３を介して、サイズの異なる紙幣を何れも一方の長辺を搬送方向へ向けた搬送姿勢で搬送し得ると考えられる。
【００３５】
ただし、紙幣収納庫２００では、取込繰出搬送路２０３に取り込んだ紙幣の中心が搬送路幅の中心から搬送路幅方向へずれていた場合、その紙幣の長辺の長さが短いほど、当該紙幣をステージ２０７の一面２０７Ａの中央部に変位させるための変位量が大きくなる。
【００３６】
このため紙幣収納庫２００では、取込繰出搬送路２０３に取り込んだ紙幣の中心が搬送路幅の中心から搬送路幅方向へずれていた場合、その紙幣の長辺の長さが短いほど、当該紙幣をステージ２０７の一面２０７Ａの中央部に変位させるために、より大きな力が必要になる。
【００３７】
ここで、図２４に示すように、紙幣収納庫２００では、紙幣２０８の左の短辺側を上側へ捲るように変形させる際、その捲れ変形部分の根元から短辺までの幅（以下、これを捲れ幅とも呼ぶ）を、左サイドガイド２０５の一面２０５Ａにおける幅規制面２０５ＡＸの深さＬ１で規制している。
【００３８】
また紙幣収納庫２００では、紙幣２０８の右の短辺側を上側へ捲るように変形させる際の捲れ幅を、右サイドガイド２０６の一面２０６Ａにおける幅規制面２０６ＡＸの深さＬ１で規制している。
【００３９】
因みに、以下の説明では、左サイドガイド２０５及び右サイドガイド２０６の一面２０５Ａ、２０６Ａにおける幅規制面２０５ＡＸ、２０６ＡＸの深さＬ１を、それぞれ捲れ幅規制深さＬ１とも呼ぶ。
【００４０】
これにより紙幣収納庫２００では、紙幣２０８の左や右の短辺側を上側へ捲るように変形させた場合、当該紙幣２０８に、その捲れ幅に応じた復元力が作用している。
【００４１】
そして紙幣収納庫２００は、紙幣２０８をステージ２０７の一面２０７Ａの中央部へ変位させるための力を、上述したように左サイドガイド２０５や右サイドガイド２０６により紙幣２０８の左や右の短辺側を上側へ捲るように変形させることで当該紙幣２０８に作用する復元力として得ている。
【００４２】
よって紙幣収納庫２００では、長辺の長さが異なる紙幣に当該長辺の長さに応じた復元力を作用させるために例えば、捲れ幅規制深さＬ１がそれぞれ紙幣の長辺の異なる長さに応じて選定された複数組の左サイドガイド２０５及び右サイドガイド２０６を用意して、左サイドガイド２０５及び右サイドガイド２０６を交換可能にする。
【００４３】
そして紙幣収納庫２００では、例えば、収納する紙幣が選定された際、当該紙幣の長辺の長さに対応する１組の左サイドガイド２０５及び右サイドガイド２０６を取り付けさせて捲れ幅を調整する。
【００４４】
紙幣収納庫２００では、このようにすれば、何れのサイズの紙幣を収納する場合でも、取込繰出搬送路２０３に取り込んだ紙幣の中心が搬送路幅の中心から搬送路幅方向へずれていたときには、当該紙幣をステージ２０７の一面２０７Ａの中央部へ変位させ得ると考えられる。
【００４５】
ところが、紙幣収納庫２００では、このように捲れ幅を調整可能なように構成すると、紙幣の左や右の短辺側を比較的広い捲れ幅で上側へ捲るように変形させた際、当該紙幣の左や右の短辺側が上搬搬送ガイド２０１の上側へ突出する場合がある。
【００４６】
そして紙幣収納庫２００では、このような場合、取込繰出搬送路２０３からステージ２０７の上側へ放出した紙幣の左前角部や右前角部が、左抑えガイド２０９や右抑えガイド２１０の傾斜面２０９Ａ、２１０Ａの上縁に突き当たり、切れや皺がよって潰れる等して損傷するという問題があった。
【００４７】
因みに、図２５に示すように、紙幣収納庫２００では、このような紙幣２０８の損傷を低減させるため、左抑えガイド２０９及び右抑えガイド２１０において搬送時の紙幣２０８の一面を基準とする傾斜面２０９Ａ、２１０Ａの上縁の高さ（以下、これを傾斜面高さとも呼ぶ）Ｌ２を、捲れ幅に応じて変更することが考えられている。
【００４８】
そして紙幣収納庫２００において傾斜面高さＬ２を変更するには、左抑えガイド２０９及び右抑えガイド２１０を上下方向に変位させることで、傾斜面高さＬ２を変更するような手法（以下、これを第１の高さ変更手法とも呼ぶ）が考えられる。
【００４９】
ただし、第１の高さ変更手法によれば、例えば、紙幣収納庫２００の大きさの制約から、当該紙幣収納庫２００において左抑えガイド２０９及び右抑えガイド２１０を上下方向に変位可能に配置するための十分な配置スペースを確保し難い場合がある。
【００５０】
すなわち、第１の高さ変更手法によれば、紙幣収納庫２００において、捲れ幅が比較的広いにも関わらず傾斜面高さＬ２を高くし得ない場合があり、紙幣の損傷を低減させるには不十分であった。
【００５１】
また紙幣収納庫２００において傾斜面高さＬ２を変更するには、左抑えガイド２０９及び右抑えガイド２１０を回転させて前後方向に対する傾斜面２０９Ａ、２１０Ａの角度を変えることで、傾斜面高さＬ２を変更するような手法（以下、これを第２の高さ変更手法とも呼ぶ）も考えられる。
【００５２】
第２の高さ変更手法によれば、紙幣収納庫２００において左抑えガイド２０９及び右抑えガイド２１０を回転可能に配置するための配置スペースが比較的小さいため、当該紙幣収納庫２００の大きさの制約があっても、左抑えガイド２０９及び右抑えガイド２１０を回転させて傾斜面高さＬ２を変更することができると考えられる。
【００５３】
ただし、第２の高さ変更手法によれば、紙幣収納庫２００において例えば、捲れ幅が比較的広い場合、抑えガイド２０９及び右抑えガイド２１０を回転させて、前後方向に対し傾斜面２０９Ａ、２１０Ａを切り立ったような角度にすることになる。
【００５４】
そして第２の高さ変更手法によれば、紙幣収納庫２００において傾斜面２０９Ａ、２１０Ａを切り立ったような角度にすると、取込繰出搬送路２０３から左や右の短辺側を上側へ捲るように変形させた紙幣をステージ２０７の上側に放出したとき、当該紙幣の左前角部や右前角部が、傾斜面２０９Ａ、２１０Ａに突き当たった衝撃で皺がよって潰れる等して損傷する場合がある。
【００５５】
このため第２の高さ変更手法によっても、紙幣収納庫２００において紙幣の損傷を低減させるには不十分であった。
【００５６】
本発明は以上の点を考慮してなされたもので、紙葉類の損傷を大幅に低減し得る紙葉類収納装置、紙葉類取扱装置及び紙葉類搬送装置を提案しようとするものである。
【課題を解決するための手段】
【００５７】
かかる課題を解決するため本発明においては、紙葉類を所定の搬送方向へ搬送するための搬送路を形成する一対の第１搬送ガイド及び第２搬送ガイドと、搬送路の両横に互いの一面を対向させて配置され、互いの当該一面において搬送方向の上流側に搬送路幅を規制する幅規制部が形成されると共に、幅規制部よりも搬送方向の下流側に当該幅規制部によって規制する搬送路幅を徐々に狭めるように変更する幅変更部が形成される一対の第１サイドガイド及び第２サイドガイドと、一対の第１サイドガイド及び第２サイドガイドから第１搬送ガイド側へ張り出すように設けられ、搬送路を介して搬送方向へ搬送される紙葉類の端部が第１搬送ガイド側へ捲るように変形した際、当該紙葉類の浮き上がりを抑える一対の第１抑えガイド及び第２抑えガイドとを設けるようにした。
【００５８】
従って本発明では、搬送路に取り込まれた紙葉類が、当該紙葉類の中心が搬送路幅の中心から搬送路幅方向へずれていると、その紙葉類を搬送しながら第１サイドガイドや第２サイドガイドの幅変更部により当該紙葉類の搬送路幅方向の端部を第１搬送ガイド側へ捲るように変形させるものの、その際、紙葉類の端部を第１抑えガイド及び第２抑えガイドに押し付けるようにして摺動させて浮き上がりを抑えることができる。
【発明の効果】
【００５９】
本発明によれば、紙葉類を、紙葉類を所定の搬送方向へ搬送するための搬送路を形成する一対の第１搬送ガイド及び第２搬送ガイドと、搬送路の両横に互いの一面を対向させて配置され、互いの当該一面において搬送方向の上流側に搬送路幅を規制する幅規制部が形成されると共に、幅規制部よりも搬送方向の下流側に当該幅規制部によって規制する搬送路幅を徐々に狭めるように変更する幅変更部が形成される一対の第１サイドガイド及び第２サイドガイドと、一対の第１サイドガイド及び第２サイドガイドから第１搬送ガイド側へ張り出すように設けられ、搬送路を介して搬送方向へ搬送される紙葉類の端部が第１搬送ガイド側へ捲るように変形した際、当該紙葉類の浮き上がりを抑える一対の第１抑えガイド及び第２抑えガイドとを設けるようにしたことにより、搬送路に取り込まれた紙葉類が、当該紙葉類の中心が搬送路幅の中心から搬送路幅方向へずれていると、その紙葉類を搬送しながら第１サイドガイドや第２サイドガイドの幅変更部により当該紙葉類の搬送路幅方向の端部を第１搬送ガイド側へ捲るように変形させるものの、その際、紙葉類の端部を第１抑えガイド及び第２抑えガイドに押し付けるようにして摺動させて浮き上がりを抑えることができ、かくして紙葉類の損傷を大幅に低減し得る紙葉類収納装置、紙葉類取扱装置及び紙葉類搬送装置を実現することができる。
【図面の簡単な説明】
【００６０】
【図１】第１の実施の形態による現金自動預払機の外観構成を示す略線的斜視図である。
【図２】第１の実施の形態による現金自動預払機の内部構成を示す略線的斜視図である。
【図３】第１の実施の形態による紙幣処理ユニットの構成を示す略線的側面図である。
【図４】紙幣収納庫の外観構成を示す略線的斜視図である。
【図５】第１の実施の形態による紙幣収納庫の内部構成（１）を示す略線的上面図である。
【図６】第１の実施の形態による紙幣収納庫の内部構成（２）を示す略線的正面図である。
【図７】第１の実施の形態による紙幣収納庫の内部構成（３）を示す略線的側面図である。
【図８】紙幣収納庫による紙幣取込時の紙幣の搬送（１）の説明に供する略線的上面図である。
【図９】紙幣収納庫による紙幣取込時の紙幣の搬送（２）の説明に供する略線的正面図である。
【図１０】紙幣収納庫による紙幣取込時の紙幣の搬送（３）の説明に供する略線的側面図である。
【図１１】紙幣収納庫による紙幣の取り込みの説明に供する略線的側面図である。
【図１２】紙幣収納庫による紙幣の繰り出しの説明に供する略線的側面図である。
【図１３】第２の実施の形態による紙幣処理ユニットの構成を示す略線的側面図である。
【図１４】第２の実施の形態による紙幣収納庫の内部構成（１）を示す略線的上面図である。
【図１５】第２の実施の形態による紙幣収納庫の内部構成（２）を示す略線的正面図である。
【図１６】第２の実施の形態による紙幣収納庫の内部構成（３）を示す略線的側面図である。
【図１７】紙幣収納庫による紙幣取込時の紙幣の搬送（１）の説明に供する略線的上面図である。
【図１８】紙幣収納庫による紙幣取込時の紙幣の搬送（２）の説明に供する略線的正面図である。
【図１９】紙幣収納庫による紙幣取込時の紙幣の搬送（３）の説明に供する略線的側面図である。
【図２０】他の実施の形態による左サイドガイド及び右サイドガイドの構成を示す略線的上面図である。
【図２１】他の実施の形態による紙幣収納庫の内部構成を示す略線的正面図である。
【図２２】従来の紙幣収納庫の内部構成（１）を示す略線的上面図である。
【図２３】従来の紙幣収納庫の内部構成（２）を示す略線的正面図である。
【図２４】左サイドガイド及び右サイドガイドの構成を示す略線的上面図である。
【図２５】捲れ幅に応じた左抑えガイド及び右抑えガイドの傾斜面高さの変更の説明に供する略線的側面図である。
【発明を実施するための形態】
【００６１】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００６２】
（１）第１の実施の形態
（１−１）現金自動預払機の外観構成
図１は、第１の実施の形態による現金自動預払機の外観構成を示す。係る現金自動預払機１は、長方形の紙幣の種々のサイズ（すなわち、長辺の長さや短辺の長さ）のうち、最も大きなサイズを基準にし、また必要に応じて他のサイズも考慮して各部を構成することにより、サイズの異なる紙幣を何れも取り扱い得るように構成されている。
【００６３】
因みに、以下の説明では、現金自動預払機１で取り扱うことが可能な種々のサイズの紙幣を、取扱可能紙幣とも呼び、当該現金自動預払機１が取扱可能紙幣の中で実際に入金及び出金用に取り扱う紙幣を、単に紙幣とも呼ぶ。
【００６４】
現金自動預払機１は、上前隅部が切り欠かれたような略Ｌ字箱型の筐体（以下、これを預払機筐体とも呼ぶ）２を有している。
【００６５】
因みに、以下の説明では、現金自動預払機１を、預払機筐体２の切欠部分の下側となる前面２Ａと対峙して見た場合の図中に矢印ａ１で示す左の方向を、預払機左方向とも呼び、当該預払機左方向とは逆の方向を、預払機右方向とも呼ぶ。
【００６６】
そして、以下の説明では、預払機左方向及び預払機右方向を特に区別する必要がない場合、これらをまとめて預払機左右方向とも呼ぶ。
【００６７】
また、以下の説明では、現金自動預払機１を、預払機筐体２の前面２Ａと対峙して見た場合の図中に矢印ｂ１で示す上の方向を、預払機上方向とも呼び、当該預払機上方向とは逆の方向を、預払機下方向とも呼ぶ。
【００６８】
そして、以下の説明では、預払機上方向及び預払機下方向を特に区別する必要がない場合、これらをまとめて預払機上下方向とも呼ぶ。
【００６９】
さらに、以下の説明では、現金自動預払機１を、預払機筐体２の前面２Ａと対峙して見た場合の図中に矢印ｃ１で示す手前の方向を、預払機前方向とも呼び、当該預払機前方向とは逆の方向を、預払機後方向とも呼ぶ。
【００７０】
そして、以下の説明では、預払機前方向及び預払機後方向を特に区別する必要がない場合、これらをまとめて預払機前後方向とも呼ぶ。
【００７１】
預払機筐体２は、前面２Ａの上側の切欠部分に、接客用の略Ｌ字状のパネル（以下、これを接客パネルとも呼ぶ）３が設けられている。
【００７２】
接客パネル３において表面が上側を向く上向パネル３Ａは、例えば、その表面の左後端部に、顧客に入金用の硬貨を投入させ、また出金用の硬貨を取り出させるための硬貨投入取出口（以下、これを硬貨口とも呼ぶ）３ＡＸが形成されている。
【００７３】
また上向パネル３Ａは、例えば、その表面の右後端部に、顧客に入金用の紙幣を投入させ、また出金用の紙幣を取り出させるための紙幣投入取出口（以下、これを紙幣口とも呼ぶ）３ＡＹが形成されている。
【００７４】
さらに上向パネル３Ａは、例えば、その表面の中央前端部に、取引の手順を案内するための種々の取引手順案内画像の表示及び表面へのタッチ操作が可能なタッチスクリーン４が配置されている。
【００７５】
因みに、預払機筐体２は、上向パネル３Ａの裏面の左後端部に、硬貨口３ＡＸ用のシャッタ（以下、これを硬貨口用シャッタとも呼ぶ）５を有するシャッタ開閉部が配置されている。
【００７６】
また預払機筐体２は、上向パネル３Ａの裏面の右後端部に、紙幣口３ＡＹ用のシャッタ（以下、これを紙幣口用シャッタとも呼ぶ）６を有するシャッタ開閉部が配置されている。
【００７７】
なお、接客パネル３において表面が前側を向く前向パネル３Ｂは、例えば、その表面の中央部に、通帳挿入排出口７とカード挿入排出口８とが形成されている。
【００７８】
現金自動預払機１は、係る構成のもと、タッチスクリーン４に取引手順案内画像を表示すると共に、顧客によるタッチスクリーン４の表面へのタッチ操作に応じて、当該タッチスクリーン４に表示する取引手順案内画像を適宜切り換える。
【００７９】
そして現金自動預払機１は、タッチスクリーン４に適宜切り換えて表示する取引手順案内画像によって、顧客に硬貨や紙幣の預け入れのような入金や、硬貨や紙幣の払い出しのような出金等の所望の取引の手順を案内する。
【００８０】
これにより現金自動預払機１は、顧客に取引の手順の案内に従って、入金の際には顧客に取引の手順の案内に従って、硬貨口３ＡＸや紙幣口３ＡＹに入金用の硬貨や紙幣を投入させる。
【００８１】
また現金自動預払機１は、出金の際には顧客に取引の手順の案内に従って、硬貨口３ＡＸや紙幣口３ＡＹから出金用の硬貨や紙幣を取り出させる。
【００８２】
このようにして現金自動預払機１は、顧客が所望する現金（すなわち、硬貨や紙幣）の入金や出金等の取引を行うことができる。
【００８３】
（１−２）現金自動預払機の内部構成
次いで、現金自動預払機１の内部構成について説明する。因みに、以下には、現金自動預払機１の内部構成として便宜上、現金としての紙幣の入金及び出金に関する構成について説明し、現金としての硬貨の入金及び出金に関する構成については説明を省略する。
【００８４】
図２に示すように、現金自動預払機１の預払機筐体２は、上向パネル３Ａの位置よりも下側の左下端部に、当該現金自動預払機１全体を統括制御する制御ユニット１０が収納されている。
【００８５】
また預払機筐体２は、上向パネル３Ａの位置よりも下側の右下端部に、制御ユニット１０の制御のもと、紙幣の入金処理及び出金処理を実行する紙幣処理ユニット１１が収納されている。
【００８６】
図３に示すように、紙幣処理ユニット１１は、略箱型の筐体（以下、これをユニット筐体とも呼ぶ）１２を有している。
【００８７】
ユニット筐体１２内には、上述した紙幣口用シャッタ６を有するシャッタ開閉部１３の真下となる例えば上前隅部に、紙幣口３ＡＹを介して顧客から入金用の紙幣を受け取り、また顧客に出金用の紙幣を引き渡すための紙幣受渡部１４が配置されている。
【００８８】
またユニット筐体１２内には、例えば、紙幣受渡部１４の後斜め下に、紙幣の金種や状態等を鑑別するための鑑別部１５が配置されている。
【００８９】
さらにユニット筐体１２内には、例えば、鑑別部１５の後斜め上に、入金時に紙幣を保持して、その入金を一時的に保留するための一時保留部１６が配置されている。
【００９０】
さらにユニット筐体１２内には、例えば、一時保留部１６の下に、破損している紙幣や折れ曲がっている紙幣等のような異常な紙幣を収納するための紙幣収納庫１７が収納されている。
【００９１】
因みに、以下の説明では、破損している紙幣や折れ曲がっている紙幣等のような異常な紙幣を、適宜、入金用及び出金用の紙幣とは区別してリジェクト紙幣とも呼ぶ。
【００９２】
また、以下の説明では、リジェクト紙幣を収納するための紙幣収納庫１７を、特にリジェクト庫１７とも呼ぶ。
【００９３】
さらにまたユニット筐体１２内には、例えば、下端部（すなわち、紙幣受渡部１４、鑑別部１５及びリジェクト庫１７の下側）に、入出金用の複数の紙幣を金種別に収納する（すなわち、それぞれ特定の１金種の紙幣を収納する）ための複数の紙幣収納庫１８乃至２２が前から後へ順に並べるようにして着脱可能に装着されている。
【００９４】
これに加えてユニット筐体１２内には、上前端部において紙幣受渡部１４と鑑別部１５との間に、搬送ガイドや搬送ローラ等の複数種類の搬送路形成部品を有する搬送部（以下、これを前側搬送部とも呼ぶ）２５が配置されている。
【００９５】
そして前側搬送部２５は、複数種類の搬送路形成部品によって紙幣の搬送路（以下、これを前側紙幣搬送路とも呼ぶ）２５Ａを形成しており、当該前側紙幣搬送路２５Ａが紙幣受渡部１４及び鑑別部１５に接続されている。
【００９６】
またユニット筐体１２内には、上端部において紙幣受渡部１４、鑑別部１５、一時保留部１６及びリジェクト庫１７の間にも、複数種類の搬送路形成部品を有する搬送部（以下、これを上側搬送部とも呼ぶ）２６が配置されている。
【００９７】
そして上側搬送部２６は、複数種類の搬送路形成部品によって紙幣の搬送路（以下、これを上側紙幣搬送路とも呼ぶ）２６Ａを形成しており、当該上側紙幣搬送路２６Ａが紙幣受渡部１４、鑑別部１５、一時保留部１６及びリジェクト庫１７に接続されている。
【００９８】
さらにユニット筐体１２内には、中央部において鑑別部１５、リジェクト庫１７、前側搬送部２５及び上側搬送部２６と、複数の紙幣収納庫１８乃至２２との間にも、複数種類の搬送路形成部品を有する搬送部（以下、これを中央搬送部とも呼ぶ）２７が配置されている。
【００９９】
そして中央搬送部２７は、複数種類の搬送路形成部品によって紙幣の搬送路（以下、これを中央紙幣搬送路とも呼ぶ）２７Ａを形成しており、当該中央紙幣搬送路２７Ａが前側紙幣搬送路２５Ａ、上側紙幣搬送路２６Ａ及び複数の紙幣収納庫１８乃至２２に接続されている。
【０１００】
ところで、前側搬送部２５、上側搬送部２６及び中央搬送部２７は、前側紙幣搬送路２５Ａ、上側紙幣搬送路２６Ａ及び中央紙幣搬送路２７Ａを介して長方形の紙幣を例えば、一方の短辺を左側に位置させ、かつ他方の短辺を右側に位置させて（すなわち、紙幣の長手方向を預払機左右方向とほぼ平行にして）一方の長辺を搬送方向に向けた搬送姿勢で搬送している。
【０１０１】
すなわち、前側搬送部２５、上側搬送部２６及び中央搬送部２７は、前側紙幣搬送路２５Ａ、上側紙幣搬送路２６Ａ及び中央紙幣搬送路２７Ａを介して長方形の紙幣を、一方の長辺を搬送方向の上流側へ位置させ、かつ他方の長辺を当該搬送方向の下流側に位置させた搬送姿勢で搬送している。
【０１０２】
なお、以下の説明では、長方形の紙幣の長手方向（すなわち、紙幣の長辺と平行な方向）を、紙幣長手方向とも呼び、当該紙幣の短手方向（すなわち、紙幣の短辺と平行な方向）を、紙幣短手方向とも呼ぶ。
【０１０３】
よって紙幣処理ユニット１１は、紙幣受渡部１４、鑑別部１５、一時保留部１６、リジェクト庫１７及び複数の紙幣収納庫１８乃至２２において紙幣を、当該紙幣の搬送時の搬送姿勢に応じて一方の短辺を左側に位置させ、かつ他方の短辺を右側に位置させた（すなわち、紙幣長手方向を預払機左右方向とほぼ平行にした）姿勢で取り扱っている。
【０１０４】
実際に制御ユニット１０は、紙幣の入金時、顧客により紙幣口３ＡＹに１又は複数の入金用の紙幣が投入されると、その入金用の紙幣を紙幣受渡部１４で受け取り、当該紙幣受渡部１４から、その入金用の紙幣を１枚ずつ繰り出す。
【０１０５】
また制御ユニット１０は、紙幣受渡部１４から１枚ずつ繰り出した紙幣を、前側紙幣搬送路２５Ａを介して鑑別部１５へ搬送して、当該鑑別部１５において、その紙幣の金種や状態等を鑑別させる。
【０１０６】
その結果、制御ユニット１０は、鑑別部１５から正常であると鑑別されて繰り出された紙幣については、上側紙幣搬送路２６Ａを介して一時保留部１６へ搬送して一時的に保持させることにより、当該紙幣の入金を保留する。
【０１０７】
また制御ユニット１０は、鑑別部１５から破損や折れ等により異常であると鑑別されて繰り出された紙幣については、リジェクト紙幣として上側紙幣搬送路２６Ａを介して紙幣受渡部１４へ戻すように搬送して顧客に返却する。
【０１０８】
このようにして制御ユニット１０は、鑑別部１５において、紙幣口３ＡＹに投入された入金用の紙幣が全て鑑別されると、一時保留部１６から一時的に保持していた紙幣（すなわち、正常であると鑑別された紙幣）を１枚ずつ繰り出す。
【０１０９】
この際、制御ユニット１０は、一時保留部１６から１枚ずつ繰り出した紙幣を、上側紙幣搬送路２６Ａを介して鑑別部１５へ搬送して、当該鑑別部１５において再び、その紙幣の金種や状態等を鑑別させる。
【０１１０】
そして制御ユニット１０は、鑑別部１５から正常であると鑑別されて繰り出された紙幣については、前側紙幣搬送路２５Ａ及び中央紙幣搬送路２７Ａを順次介して当該紙幣の金種に応じた紙幣収納庫１８乃至２２へ搬送して収納する。
【０１１１】
ただし、制御ユニット１０は、この際、鑑別部１５から異常であると鑑別されて繰り出された紙幣については、リジェクト紙幣として前側紙幣搬送路２５Ａ、中央紙幣搬送路２７Ａ及び上側紙幣搬送路２６Ａを順次介してリジェクト庫１７へ搬送して収納することにより、その後の出金には用いないようにする。
【０１１２】
このようにして制御ユニット１０は、紙幣処理ユニット１１において紙幣の入金処理を実行して、顧客の所望する取引としての紙幣の入金を行うことができる。
【０１１３】
一方、制御ユニット１０は、紙幣の出金時、複数の紙幣収納庫１８乃至２２から、顧客により出金用に指定された金額分の紙幣を１枚ずつ繰り出す。
【０１１４】
この際、制御ユニット１０は、複数の紙幣収納庫１８乃至２２から１枚ずつ繰り出した紙幣を、中央紙幣搬送路２７Ａ及び前側紙幣搬送路２５Ａを順次介して鑑別部１５へ搬送して、当該鑑別部１５において紙幣の金種や状態等を鑑別させる。
【０１１５】
その結果、制御ユニット１０は、鑑別部１５から正常であると鑑別されて繰り出された紙幣については、上側紙幣搬送路２６Ａを介して紙幣受渡部１４へ搬送する。
【０１１６】
ただし、制御ユニット１０は、この際、鑑別部１５から異常であると鑑別されて繰り出された紙幣については、リジェクト紙幣として上側紙幣搬送路２６Ａを介してリジェクト庫１７へ搬送して収納することにより、その後の出金には用いないようにする。
【０１１７】
そして制御ユニット１０は、紙幣受渡部１４へ、出金用に指定された金額分の紙幣を搬送し終えると、顧客に、その出金用に指定された金額分の紙幣を引き渡す。
【０１１８】
このようにして制御ユニット１０は、紙幣処理ユニット１１において紙幣の出金処理を実行して、顧客の所望する取引としての紙幣の出金を行うことができる。
【０１１９】
（１−３）紙幣収納庫の外観構成
次いで、図４を用いて、複数の紙幣収納庫１８乃至２２の外観構成について説明する。ただし、複数の紙幣収納庫１８乃至２２は、同様の外観を有している。
【０１２０】
このため、以下には、１つの紙幣収納庫１８の外観構成について説明し、他の紙幣収納庫１９乃至２２の外観構成については説明を省略する。
【０１２１】
図４に示すように、紙幣収納庫１８は、例えば、上下に長い略直方体状の外装ケース３０を有している。
【０１２２】
そして外装ケース３０の正面３０Ａには、内部に紙幣を装填し、また内部から紙幣を取り出すための略長方形状の扉３１が開閉可能に設けられている。
【０１２３】
また外装ケース３０の上面３０Ｂには、後寄りに、預払機左右方向と平行なスリット状の紙幣取込繰出口３０ＢＸが形成されている。
【０１２４】
さらに外装ケース３０の上面３０Ｂには、例えば、前端部に、紙幣収納庫１８の着脱や運搬の際等に利用可能な取手３２が収納及び引出可能に設けられている。
【０１２５】
これにより紙幣収納庫１８は、現金自動預払機１から外された場合、内部に収納している紙幣を取り出させるようにして回収させ、また内部に出金用の紙幣を装填させるようにして補充させることができる。
【０１２６】
そのうえで、紙幣収納庫１８は、現金自動預払機１に例えば、外装ケース３０の正面３０Ａを前に向けた姿勢で装着される。
【０１２７】
そして紙幣収納庫１８は、現金自動預払機１に装着された状態では、上述のように中央紙幣搬送路２７Ａを介して１枚ずつ搬送される入金用の紙幣を、紙幣取込繰出口３０ＢＸを介して内部に取り込んで収納する。
【０１２８】
また紙幣収納庫１８は、現金自動預払機１に装着された状態では、内部に収納している紙幣を出金用として１枚ずつ紙幣取込繰出口３０ＢＸを介して繰り出して、上述のように中央紙幣搬送路２７Ａへ引き渡すことができる。
【０１２９】
（１−４）紙幣収納庫の内部構成
次いで、複数の紙幣収納庫１８乃至２２の内部構成について説明する。ただし、複数の紙幣収納庫１８乃至２２は、内部も同様に構成されている。
【０１３０】
このため、以下には、１つの紙幣収納庫１８の内部構成について説明し、他の紙幣収納庫１９乃至２２の内部構成については説明を省略する。
【０１３１】
図５乃至図７に示すように、紙幣収納庫１８内には、前側の所定位置に、紙幣収納スペース４０形成用の例えば、長方形板状の仕切板（以下、これを前側仕切板とも呼ぶ）４１が、一面４１Ａを後に向け、かつ当該前側仕切板４１の長手方向を預払機上下方向と平行にして配置されている。
【０１３２】
また紙幣収納庫１８内には、前側仕切板４１の後にも紙幣収納スペース４０形成用の例えば、長方形板状の仕切板（以下、これを後側仕切板とも呼ぶ）４２が、一面４２Ａを前側仕切板４１の一面４１Ａと対向させ、かつ当該後側仕切板４２の長手方向を預払機上下方向と平行にして配置されている。
【０１３３】
前側仕切板４１は、その幅（すなわち、預払機左右方向の長さ）が例えば、サイズの異なる取扱可能紙幣のうち、長辺の最も長い取扱可能紙幣の当該長辺の長さ以上の所定の幅に選定されると共に、その高さ（すなわち、預払機上下方向の長さ）が所定の高さに選定されている。
【０１３４】
因みに、以下の説明では、サイズの異なる取扱可能紙幣のうち長辺の最も長い取扱可能紙幣を、特に長辺最長紙幣とも呼ぶ。
【０１３５】
また後側仕切板４２は、その幅（すなわち、預払機左右方向の長さ）が例えば、サイズの異なる取扱可能紙幣のうち長辺の最も短い取扱可能紙幣の当該長辺の長さよりも長いものの、前側仕切板４１の幅以下の所定の幅に選定されている。
【０１３６】
因みに、以下の説明では、サイズの異なる取扱可能紙幣のうち長辺の最も短い取扱可能紙幣を、特に長辺最短紙幣とも呼ぶ。
【０１３７】
さらに後側仕切板４２は、その高さ（すなわち、預払機上下方向の長さ）が、前側仕切板４１の高さよりも低い所定の高さに選定されている。
【０１３８】
そして紙幣収納庫１８は、前側仕切板４１及び後側仕切板４２の配置間隔が例えば、サイズの異なる取扱可能紙幣のうち短辺の最も長い取扱可能紙幣の当該短辺の長さ以上の所定の間隔に選定されている。
【０１３９】
因みに、以下の説明では、サイズの異なる取扱可能紙幣のうち短辺の最も長い取扱可能紙幣を、特に短辺最長紙幣とも呼ぶ。
【０１４０】
これにより紙幣収納庫１８は、前側仕切板４１及び後側仕切板４２間に、サイズの異なる取扱可能紙幣を何れも、当該取扱可能紙幣の一面を上に向けた姿勢で順に積み重ねるようにして収納可能な、預払機上下方向に長い略直方体状の紙幣収納スペース４０が形成されている。
【０１４１】
また紙幣収納庫１８は、紙幣収納スペース４０に、一面４５Ａに紙幣を収納用に載上する（すなわち、集積する）ための略長方形平板状のステージ４５が、図示しない一対の支柱を介して当該一面４５Ａを上に向け、かつステージ４５の長手方向を預払機左右方向と平行にした姿勢で昇降可能に支持されている。
【０１４２】
ステージ４５は、一面４５Ａにおいて預払機左右方向と平行な一対の長辺の長さが、長辺最長紙幣の長辺の長さ以上の所定長さに選定されると共に、預払機前後方向と平行な一対の短辺の長さが、短辺最長紙幣の短辺の長さ以上の所定の長さに選定されている。
【０１４３】
これによりステージ４５は、一面４５Ａに、サイズの異なる取扱可能紙幣を何れも順に重ねるように載上することができる。
【０１４４】
また紙幣収納庫１８は、例えば、紙幣収納スペース４０の周囲の所定位置に、ステージ４５を昇降させるための図示しない駆動モータ（以下、これをステージ駆動モータとも呼ぶ）と、図示しない所定のステージ昇降部とが設けられている。
【０１４５】
よって紙幣収納庫１８は、紙幣取込時や紙幣繰出時、上述した制御ユニット１０の制御のもと、ステージ駆動モータが動作すると、ステージ昇降部を介してステージ４５を、その一面４５Ａを上に向けて水平にした姿勢のまま上昇及び下降させる（すなわち、預払機上方向及び預払機下方向へ移動させる）ことができる。
【０１４６】
また紙幣収納庫１８は、紙幣収納スペース４０の後斜め上側に、当該紙幣収納庫１８内で紙幣を取込及び繰出用に搬送する搬送部（以下、これを収納庫内搬送部とも呼ぶ）４６が設けられている。
【０１４７】
収納庫内搬送部４６は、対向配置される一対の第１搬送ガイド４７及び第２搬送ガイド４８を有している。
【０１４８】
第２搬送ガイド４８は、例えば、後側仕切板４２の幅と等しい幅（すなわち、預払機左右方向の長さ）を有する板状に形成されている。
【０１４９】
そして第２搬送ガイド４８は、後側仕切板４２の後側で一面４８Ａを上に向け、かつ一端を当該後側仕切板４２の上端に接合して、又は近接させて配置されている。
【０１５０】
また第１搬送ガイド４７は、例えば、それぞれ第２搬送ガイド４８の幅よりも狭い所定の幅を有する短冊状に形成された２個の搬送ガイド４７Ａ、４７Ｂから構成されている。
【０１５１】
そして２個の搬送ガイド４７Ａ、４７Ｂのうち、一方の搬送ガイド４７Ａは、一面４７ＡＸを下に向けた状態で、当該一面４７ＡＸの一端部を第２搬送ガイド４８の一面４８Ａの左端部と所定の間隙を介して対向させると共に、他端部をステージ４５の一面４５Ａの左端部と対向させて配置されている。
【０１５２】
また２個の搬送ガイド４７Ａ、４７Ｂのうち、他方の搬送ガイド４７Ｂは、一面４７ＢＸを下に向けた状態で、当該一面４７ＢＸの一端部を第２搬送ガイド４８の一面４８Ａの右端部と所定の間隙を介して対向させると共に、他端部をステージ４５の一面４５Ａの右端部と対向させて配置されている。
【０１５３】
因みに、以下の説明では、一対の第１搬送ガイド４７及び第２搬送ガイド４８のうち、上側に位置する一方の第１搬送ガイド４７を、上搬送ガイド４７とも呼び、下側に位置する他方の第２搬送ガイド４８を、下搬送ガイド４８とも呼ぶ。
【０１５４】
また、以下の説明では、上搬送ガイド４７を構成する２個の搬送ガイド４７Ａ、４７Ｂのうち、左側に位置する搬送ガイド４７Ａを、左上搬送ガイド４７Ａとも呼び、右側に位置する搬送ガイド４７Ｂを、右上搬送ガイド４７Ｂとも呼ぶ。
【０１５５】
これにより紙幣収納庫１８において収納庫内搬送部４６は、左上搬送ガイド４７Ａ及び右上搬送ガイド４７Ｂと、下搬送ガイド４８との間に、紙幣を取込及び繰出用に搬送するための搬送路（以下、これを取込繰出搬送路とも呼ぶ）４９を形成し、当該取込繰出搬送路４９の一端を紙幣収納スペース４０に繋げている。
【０１５６】
因みに、収納庫内搬送部４６は、特に図示してはいないが、上搬送ガイド４７及び下搬送ガイド４８の後端から紙幣取込繰出口３０ＢＸまでの間に他の一対の搬送ガイドが対向配置され、又は上搬送ガイド４７及び下搬送ガイド４８が紙幣取込繰出口３０ＢＸまでの長さを有する所定形状に形成されている。
【０１５７】
よって収納庫内搬送部４６は、上搬送ガイド４７及び下搬送ガイド４８と他の一対の搬送ガイドとにより、又は上搬送ガイド４７及び下搬送ガイド４８により、取込繰出搬送路４９が実際には紙幣収納スペース４０から紙幣取込繰出口３０ＢＸまでに亘って形成され、当該取込繰出搬送路４９の他端が紙幣取込繰出口３０ＢＸに繋げられている。
【０１５８】
因みに、取込繰出搬送路４９を介して紙幣を取込用に搬送する際の搬送方向は、紙幣取込繰出口３０ＢＸ側が上流側となり、かつ紙幣収納スペース４０側が下流側となり、紙幣を紙幣取込繰出口３０ＢＸから紙幣収納スペース４０へと搬送する方向である。
【０１５９】
また取込繰出搬送路４９を介して紙幣を繰出用に搬送する際の搬送方向は、紙幣収納スペース４０側が上流側となり、かつ紙幣取込繰出口３０ＢＸ側が下流側となり、紙幣を紙幣収納スペース４０から紙幣取込繰出口３０ＢＸへと搬送する方向である。
【０１６０】
ところで、収納庫内搬送部４６において左上搬送ガイド４７Ａ及び右上搬送ガイド４７Ｂは、互いの一端部において紙幣収納スペース４０寄りの所定位置に、第１ローラ回転軸（図示せず）を預払機左右方向と平行にして図中に矢印ｄ１で示す一回転方向、及びこれとは逆の他回転方向へ回動可能に支持している。
【０１６１】
第１ローラ回転軸には、取込繰出搬送路４９の搬送路幅の中心から左右へ等間隔の所定位置に、紙幣取込繰出用の例えば、２個のローラ５０、５１が取り付けられている。
【０１６２】
因みに、以下の説明では、第１ローラ回転軸に取り付けられた紙幣取込繰出用の２個のローラ５０、５１を、それぞれフィードローラ５０、５１とも呼ぶ。
【０１６３】
２個のフィードローラ５０、５１は、所定の外径を有し、例えば、外周面が平らに（すなわち、一周に亘る凹部や凸部のないように）形成されている。
【０１６４】
そして第１ローラ回転軸は、これら２個のフィードローラ５０、５１の外周面の一部をそれぞれ、左上搬送ガイド４７Ａ及び右上搬送ガイド４７Ｂの一端部に穿設された孔部（図示せず）を介して取込繰出搬送路４９内に入り込ませている。
【０１６５】
さらに下搬送ガイド４８は、紙幣収納スペース４０寄りの所定位置に、第２ローラ回転軸（図示せず）を預払機左右方向と平行にして一回転方向及び他回転方向へ回動可能に支持している。
【０１６６】
第２ローラ回転軸には、２個のフィードローラ５０、５１と対向する位置に紙幣取込用の例えば、２個のローラ５２、５３が取り付けられている。
【０１６７】
因みに、以下の説明では、第２ローラ回転軸に取り付けられた紙幣取込用の２個のローラ５２、５３を、それぞれ取込ローラ５２、５３とも呼ぶ。
【０１６８】
２個の取込ローラ５２、５３は、所定の外径を有し、例えば、外周面が平らに（すなわち、一周に亘る凹部や凸部のないように）形成されている。
【０１６９】
そして第２ローラ回転軸は、２個の取込ローラ５２、５３の外周面の一部をそれぞれ、下搬送ガイド４８に穿設された孔部（図示せず）を介して取込繰出搬送路４９内に入り込ませて、２個のフィードローラ５０、５１の外周面の一部に押し付けている。
【０１７０】
さらに収納庫内搬送部４６は、２個のフィードローラ５０、５１の前となるステージ４５の上側に、当該ステージ４５上の紙幣を１枚ずつ取込繰出搬送路４９側へ送り出すための図示しない２個のローラ（以下、これらをピッカローラとも呼ぶ）が、預払機左右方向と平行な第３ローラ回転軸を中心にして他回転方向へ回転可能に設けられている。
【０１７１】
因みに、２個のピッカローラは、それぞれ外周面の一部を、左上搬送ガイド４７Ａ及び右上搬送ガイド４７Ｂの他端部に穿設された孔部（図示せず）を介して当該左上搬送ガイド４７Ａ及び右上搬送ガイド４７Ｂの下側に突出させている。
【０１７２】
さらにまた収納庫内搬送部４６は、取込繰出搬送路４９において２個のフィードローラ５０、５１及び２個の取込ローラ５２、５３の配置位置より紙幣取込繰出口３０ＢＸ側にも、適宜、１又は複数組の搬送ローラが設けられている。
【０１７３】
ところで、紙幣収納庫１８は、紙幣収納スペース４０の周囲の所定位置に、２個のフィードローラ５０、５１を回転させるための図示しない駆動モータ（以下、これをローラ駆動モータとも呼ぶ）も設けられている。
【０１７４】
そして紙幣収納庫１８は、第１ローラ回転軸にギアが取り付けられると共に、当該ギアが他の複数のギアを介してローラ駆動モータの出力軸に連結されている。
【０１７５】
また紙幣収納庫１８は、第２ローラ回転軸に、当該第２ローラ回転軸を他回転方向へのみ回転させるための図示しないワンウェイクラッチが取り付けられと共に、当該ワンウェイクラッチが第１ローラ回転軸のギアに連結されている。
【０１７６】
さらに紙幣収納庫１８は、１又は複数組の搬送ローラのローラ回転軸もそれぞれ複数のギアを介して第１ローラ回転軸のギアに連結されている。
【０１７７】
さらにまた紙幣収納庫１８は、例えば、第１ローラ回転軸と第３ローラ回転軸とが歯付プーリ、及び無端状の駆動ベルトを介して連結されている。
【０１７８】
よって収納庫内搬送部４６は、紙幣取込時、制御ユニット１０の制御のもと、ローラ駆動モータが紙幣の取込用に動作すると、これに応じて第１ローラ回転軸と共に２個のフィードローラ５０、５１を紙幣の取込用に一回転方向へ回転させることができる。
【０１７９】
また収納庫内搬送部４６は、この際、第１ローラ回転軸の一回転方向への回転に連動させて第２ローラ回転軸と共に２個の取込ローラ５２、５３を紙幣の取込用に、当該２個のフィードローラ５０、５１の回転方向とは逆の他回転方向へ回転させることができる。
【０１８０】
さらに収納庫内搬送部４６は、第１ローラ回転軸の一回転方向への回転に連動させて１又は複数組の搬送ローラもそれぞれ紙幣の取込用に互いに逆の一回転方向及び他回転方向へ回転させることができる。
【０１８１】
これにより収納庫内搬送部４６は、紙幣取込繰出口３０ＢＸを介して取込繰出搬送路４９に取り込んだ紙幣を、紙幣の取込用に互いに逆回転している１又は複数組の搬送ローラの間に挟み込むようにしてフィードローラ５０、５１及び取込ローラ５２、５３側へ送り出すことができる。
【０１８２】
また収納庫内搬送部４６は、１又は複数組の搬送ローラの間を通した紙幣を、紙幣の取込用に互いに逆回転している２個のフィードローラ５０、５１及び２個の取込ローラ５２、５３の間に挟み込むようにして紙幣収納スペース４０側へ送り出すことができる。
【０１８３】
このようにして収納庫内搬送部４６は、紙幣取込繰出口３０ＢＸを介して取込繰出搬送路４９に取り込んだ紙幣を、当該取込繰出搬送路４９を介して紙幣収納スペース４０側へ搬送することができる。
【０１８４】
一方、収納庫内搬送部４６は、紙幣繰出時、制御ユニット１０の制御のもと、ローラ駆動モータが紙幣の繰出用に動作すると、これに応じて第１ローラ回転軸と共に２個のフィードローラ５０、５１を紙幣の繰出用に他回転方向へ回転させることができる。
【０１８５】
また収納庫内搬送部４６は、この際、第１ローラ回転軸の他回転方向への回転に連動させて第３ローラ回転軸と共に２個のピッカローラも紙幣の繰出用に、２個のフィードローラ５０、５１の回転方向と同一の他回転方向へ回転させることができる。
【０１８６】
さらに収納庫内搬送部４６は、第１ローラ回転軸の他回転方向への回転に連動させて１又は複数組の搬送ローラをそれぞれ紙幣の繰出用に互いに逆の一回転方向及び他回転方向へ回転させることができる。
【０１８７】
ただし、収納庫内搬送部４６は、この際、第２ローラ回転軸と共に２個の取込ローラ５２、５３についてはワンウェイクラッチの作用により、第１ローラ回転軸の他回転方向への回転には連動させずに、回転を停止させる。
【０１８８】
これにより収納庫内搬送部４６は、２個のピッカローラにより、ステージ４５上の複数の紙幣を上から順に１枚ずつ取込繰出搬送路４９側へ送り出すことができる。
【０１８９】
また収納庫内搬送部４６は、このようにして取込繰出搬送路４９に取り込んだ紙幣を、紙幣の繰出用に他回転方向へ回転している２個のフィードローラ５０、５１、及び回転を停止させている２個の取込ローラ５２、５３の間に挟み込むようにして１又は複数組の搬送ローラ側へ送り出すことができる。
【０１９０】
さらに収納庫内搬送部４６は、２個のフィードローラ５０、５１及び２個の取込ローラ５２、５３の間を通した紙幣を、紙幣の繰出用に互いに逆回転している１又は複数組の搬送ローラの間に挟み込むようにして紙幣取込繰出口３０ＢＸへ送り出すことができる。
【０１９１】
このようにして収納庫内搬送部４６は、ステージ４５上の紙幣を、取込繰出搬送路４９を介して紙幣取込繰出口３０ＢＸへ搬送して、その紙幣取込繰出口３０ＢＸから繰り出すことができる。
【０１９２】
係る構成に加えて紙幣収納庫１８の収納庫内搬送部４６は、取込繰出搬送路４９の横幅を規制すると共に、紙幣取込時に紙幣を、取込繰出搬送路４９を介して搬送する際には、その紙幣を取込繰出搬送路４９の一端からステージ４５上へ案内するための略長方形板状の一対の第１サイドガイド５５及び第２サイドガイド５６を有している。
【０１９３】
因みに、取込繰出搬送路４９の横幅は、取込繰出搬送路４９を介して紙幣を搬送する際の当該紙幣の一面とは平行で、かつ紙幣の搬送方向とは直交する方向（すなわち、この実施の形態の場合は預払機左右方向でもある）の長さであり、以下、これを搬送路幅とも呼ぶ。
【０１９４】
また、以下の説明では、取込繰出搬送路４９を介して紙幣を搬送する際の当該紙幣の一面とは平行で、かつ紙幣の搬送方向とは直交する方向（すなわち、この実施の形態の場合は預払機左方向及び預払機右方向でもある）を、適宜、搬送路幅方向とも呼ぶ。
【０１９５】
一方の第１サイドガイド５５は、当該第１サイドガイド５５の長手方向を預払機上下方向と平行にし、かつ一面５５Ａを右側に向けた姿勢で、取込繰出搬送路４９及び紙幣収納スペース４０の左横に交換可能に設けられている。
【０１９６】
また他方の第２サイドガイド５６は、当該第２サイドガイド５６の長手方向を預払機上下方向と平行にし、かつ一面５６Ａを左側に向けて一方の第１サイドガイド５５の一面５５Ａと対向させた姿勢で、取込繰出搬送路４９及び紙幣収納スペース４０の右横に交換可能に設けられている。
【０１９７】
因みに、以下の説明では、一対の第１サイドガイド５５及び第２サイドガイド５６のうち、取込繰出搬送路４９及び紙幣収納スペース４０の左横に位置する一方の第１サイドガイド５５を、左サイドガイド５５とも呼び、当該取込繰出搬送路４９及び紙幣収納スペース４０の右横に位置する他方の第２サイドガイド５６を、右サイドガイド５６とも呼ぶ。
【０１９８】
左サイドガイド５５及び右サイドガイド５６は、預払機上下方向の長さが互いに等しい所定の長さに選定されている。
【０１９９】
また左サイドガイド５５及び右サイドガイド５６は、預払機前後方向の長さが互いに等しい所定の長さに選定されている。
【０２００】
そして左サイドガイド５５は、上端を左上搬送ガイド４７Ａの上側に突出させ、下端部を下搬送ガイド４８の配置位置よりも下側に位置させている。
【０２０１】
また左サイドガイド５５は、一面５５Ａの中央部を取込繰出搬送路４９及び紙幣収納スペース４０の境界付近に位置させて、当該一面５５Ａの中央上端部において後寄りの部分を、左側のフィードローラ５０及び取込ローラ５２の左側面において前寄りの部分と対向させている。
【０２０２】
よって左サイドガイド５５は、一面５５Ａの前端部を取込繰出搬送路４９及び紙幣収納スペース４０の境界付近よりも紙幣収納スペース４０側に位置させて、当該前端部の下寄りの所定の範囲を、昇降可能なステージ４５の左側面の後端部と対向させている。
【０２０３】
また左サイドガイド５５は、一面５５Ａの後端部を取込繰出搬送路４９及び紙幣収納スペース４０の境界付近よりも取込繰出搬送路４９側に位置させて、当該一面５５Ａの後上端部を、左側のフィードローラ５０及び取込ローラ５２の左側面において後寄りの部分と対向させている。
【０２０４】
そして左サイドガイド５５は、一面５５Ａの後上端部に、所定の深さの（すなわち、一面５５Ａの前端部よりも一段凹んだ）切欠面として、取込繰出搬送路４９の搬送路幅を規制するための幅規制部５５ＡＸが形成されている。
【０２０５】
また左サイドガイド５５は、一面５５Ａの中央上端部に、幅規制部５５ＡＸの前縁と繋がる前斜め右方向と平行な傾斜面として、取込繰出搬送路４９の搬送路幅を変更するための幅変更部５５ＡＹが形成されている。
【０２０６】
一方、右サイドガイド５６は、上端を右上搬送ガイド４７Ｂの上側に突出させ、下端部を下搬送ガイド４８の配置位置よりも下側に位置させている。
【０２０７】
また右サイドガイド５６は、一面５６Ａの中央部を取込繰出搬送路４９及び紙幣収納スペース４０の境界付近に位置させて、当該一面５６Ａの中央上端部において後寄りの部分を、右側のフィードローラ５１及び取込ローラ５３の右側面において前寄りの部分と対向させている。
【０２０８】
よって右サイドガイド５６は、一面５６Ａの前端部を取込繰出搬送路４９及び紙幣収納スペース４０の境界付近よりも紙幣収納スペース４０側に位置させて、当該前端部の下寄りの所定の範囲を、昇降可能なステージ４５の右側面の後端部と対向させている。
【０２０９】
また右サイドガイド５６は、一面５６Ａの後端部を取込繰出搬送路４９及び紙幣収納スペース４０の境界付近よりも取込繰出搬送路４９側に位置させて、当該一面５６Ａの後上端部を、右側のフィードローラ５１及び取込ローラ５３の右側面において後寄りの部分と対向させている。
【０２１０】
そして右サイドガイド５６は、一面５６Ａの後上端部に、所定の深さの（すなわち、一面５６Ａの前端部よりも一段凹んだ）切欠面として、取込繰出搬送路４９の搬送路幅を規制するための幅規制部５６ＡＸが形成されている。
【０２１１】
また右サイドガイド５６は、一面５６Ａの中央上端部に、幅規制部５６ＡＸの前縁と繋がる前斜め右方向と平行な傾斜面として、取込繰出搬送路４９の搬送路幅を変更するための幅変更部５６ＡＹが形成されている。
【０２１２】
因みに、以下の説明では、左サイドガイド５５及び右サイドガイド５６の一面５５Ａ、５６Ａに切欠面として形成された幅規制部５５ＡＸ、５６ＡＸを、それぞれ幅規制面５５ＡＸ、５６ＡＸとも呼ぶ。
【０２１３】
また、以下の説明では、左サイドガイド５５及び右サイドガイド５６の一面５５Ａ、５６Ａに傾斜面として形成された幅変更部５５ＡＹ、５６ＡＹを、それぞれ幅変更面５５ＡＹ、５６ＡＹとも呼ぶ。
【０２１４】
なお、左サイドガイド５５及び右サイドガイド５６は、一面５５Ａ、５６Ａにおける幅規制面５５ＡＸ、５６ＡＸの深さが、互いに等しい所定の深さに選定されている。
【０２１５】
また左サイドガイド５５及び右サイドガイド５６は、一面５５Ａ、５６Ａの前端部と幅規制面５５ＡＸ、５６ＡＸとの間の長さが、互いに等しい所定の長さに選定されている。
【０２１６】
よって左サイドガイド５５及び右サイドガイド５６は、一面５５Ａ、５６Ａ（すなわち、一面５５Ａ、５６Ａの前端部）に対する幅変更面５５ＡＹ、５６ＡＹの角度が、互いに等しい所定の角度に選定されている。
【０２１７】
これにより左サイドガイド５５及び右サイドガイド５６は、取込繰出搬送路４９及び紙幣収納スペース４０の境界付近よりも当該取込繰出搬送路４９側（すなわち、後側）に位置する互いの幅規制面５５ＡＸ、５６ＡＸにより、取込繰出搬送路４９の搬送路幅を、長辺最長紙幣の長辺の長さよりも長い所定の幅に規制している。
【０２１８】
また左サイドガイド５５及び右サイドガイド５６は、取込繰出搬送路４９及び紙幣収納スペース４０の境界付近に位置する互いの幅変更面５５ＡＹ、５６ＡＹにより、幅規制面５５ＡＸ、５６ＡＸによって規制する搬送路幅を、紙幣収納スペース４０側へ徐々に狭めるように変更している。
【０２１９】
さらに左サイドガイド５５及び右サイドガイド５６は、紙幣収納スペース４０の両横に位置する一面５５Ａ、５６Ａの前端部を、ステージ４５の左側面及び右側面の後端部に近接させている。
【０２２０】
これにより左サイドガイド５５及び右サイドガイド５６は、紙幣取込時、取込繰出搬送路４９に取り込まれた紙幣を、当該取込繰出搬送路４９を介して紙幣収納スペース４０側へ搬送させながらステージ４５の一面４５Ａの上側へ案内することができる。
【０２２１】
また紙幣収納庫１８の収納庫内搬送部４６は、後述するように紙幣取込時、取込繰出搬送路４９を介して紙幣収納スペース４０側へ搬送する紙幣において搬送路幅方向の端部である左の短辺側や右の短辺側を上側に捲るように変形させたときに、当該紙幣の浮き上がりを抑えるための細板状の一対の第１抑えガイド５７及び第２抑えガイド５８も有している。
【０２２２】
一方の第１抑えガイド５７は、左サイドガイド５５の一面５５Ａの後縁から前縁までの長さと等しい長さを有し、当該一面５５Ａの上端部の形状（すなわち、一面５５Ａの上端部において幅規制面５５ＡＸから幅変更面５５ＡＹを経た前端部までの形状）に対応する略クランク状に形成されている。
【０２２３】
そして一方の第１抑えガイド５７は、左サイドガイド５５の一面５５Ａの上縁の近傍に、当該一面５５Ａの後縁から前縁に亘って左上搬送ガイド４７Ａ側へ張り出すように（すなわち、右側へ突出するように）設けられている。
【０２２４】
また、他方の第２抑えガイド５８は、右サイドガイド５６の一面５６Ａの後縁から前縁までの長さと等しい長さを有し、当該一面５６Ａの上端部の形状（すなわち、一面５６Ａの上端部において幅規制面５６ＡＸから幅変更面５６ＡＹを経た前端部までの形状）に対応する略クランク状に形成されている。
【０２２５】
そして他方の第２抑えガイド５８は、一方の第１抑えガイド５７と対向させて、右サイドガイド５６の一面５６Ａの上縁の近傍に、当該一面５６Ａの後縁から前縁に亘って右上搬送ガイド４７Ｂ側へ張り出すように（すなわち、左側へ突出するように）設けられている。
【０２２６】
因みに、以下の説明では、一対の第１抑えガイド５７及び第２抑えガイド５８のうち、左サイドガイド５５に設けられた一方の第１抑えガイド５７を、左抑えガイド５７とも呼び、右サイドガイド５６に設けられた他方の第２抑えガイド５８を、右抑えガイド５８とも呼ぶ。
【０２２７】
ところで、上述した２個のフィードローラ５０、５１は、例えば、取込繰出搬送路４９を介して長辺最短紙幣が搬送される際に当該長辺最短紙幣の中心が搬送路幅の中心から搬送路幅方向へ目一杯ずれていても、長辺最短紙幣の上を向いた一面において紙幣長手方向の一端部及び他端部（すなわち、一対の短辺よりも内側の所定位置）と対向するように、第１ローラ回転軸に対する取付位置が適宜選定されている。
【０２２８】
これに応じて、上述した２個の取込ローラ５２、５３は、取込繰出搬送路４９を介して長辺最短紙幣が搬送される際に当該長辺最短紙幣の中心が搬送路幅の中心から搬送路幅方向へ目一杯ずれていても、長辺最短紙幣の下を向いた他面において紙幣長手方向の一端部及び他端部（すなわち、一対の短辺よりも内側の所定位置）と対向するように、第２ローラ回転軸に対する取付位置が適宜選定されている。
【０２２９】
よって紙幣収納庫１８は、取込繰出搬送路４９を介して長辺最短紙幣を、当該長辺最短紙幣の一方の短辺を搬送路幅の一方の縁（すなわち、左端や右端）に位置させて搬送するような場合でも、長辺最短紙幣を２個のフィードローラ５０、５１及び２個の取込ローラ５２、５３で確実に挟み込むようにして搬送し得るようにしている。
【０２３０】
また左サイドガイド５５及び右サイドガイド５６は、上述のように幅規制面５５ＡＸ、５６ＡＸと、幅変更面５５ＡＹ、５６ＡＹの一部とをフィードローラ５０、５１及び取込ローラ５２、５３と対向させている。
【０２３１】
このため紙幣収納庫１８は、紙幣取込時、取込繰出搬送路４９に取り込んだ紙幣を、紙幣の取込用に互いに逆回転している２個のフィードローラ５０、５１及び２個の取込ローラ５２、５３の間に挟み込むようにして紙幣収納スペース４０側へ搬送するように駆動している状態で、左サイドガイド５５及び右サイドガイド５６の互いの幅規制面５５ＡＸ、５６ＡＸの間、及び互いの幅変更面５５ＡＹ、５６ＡＹの間を順に通過させている。
【０２３２】
よって図８乃至図１０に示すように、左サイドガイド５５は、紙幣取込時に取込繰出搬送路４９に取り込んだ紙幣６０の中心が搬送路幅の中心から預払機左方向へずれていた場合、取込繰出搬送路４９を介して搬送される紙幣６０の左の短辺側を左前角部から幅変更面５５ＡＹに押し付けるようにして当該幅変更面５５ＡＹ及び一面５５Ａの前端部に亘って摺動させる。
【０２３３】
これにより左サイドガイド５５は、紙幣６０の一方の長辺を搬送方向へ向けたまま、当該紙幣６０において預払機左方向の端部である左の短辺側を左前角部から徐々に上側へ捲るように変形させることができる。
【０２３４】
その結果、左サイドガイド５５は、紙幣６０が左の短辺側を上側へ捲るように変形させたまま、２個のフィードローラ５０、５１及び２個の取込ローラ５２、５３の間から送り出されて取込繰出搬送路４９の一端からステージ４５の一面４５Ａの上側へ放出されると、その紙幣６０に元の平坦な状態に戻ろうとする復元力を作用させることができる。
【０２３５】
また左抑えガイド５７は、左サイドガイド５５が紙幣６０の左の短辺側を上側へ捲るように変形させた際、下を向いた平坦な一面に当該紙幣６０の左の短辺側を左前角部から押し付けさせるようにして摺動させる。
【０２３６】
そして左抑えガイド５７は、紙幣６０が左の短辺側を上側へ捲るように変形させたまま取込繰出搬送路４９の一端からステージ４５の一面４５Ａの上側へ放出されたときにも、一面に左の短辺側を押し付けさせて紙幣６０を浮き上がらないように抑えている。
【０２３７】
これにより左抑えガイド５７は、紙幣６０に作用する復元力により、当該紙幣６０を元の平坦な状態に戻させながら、左サイドガイド５５の一面５５Ａから離隔させて右側へ変位させることができる。
【０２３８】
一方、右サイドガイド５６も、左サイドガイド５５と同様に、紙幣取込時に取込繰出搬送路４９に取り込んだ紙幣６０の中心が搬送路幅の中心から預払機右方向へずれていた場合、取込繰出搬送路４９を介して搬送される紙幣６０の右の短辺側を右前角部から幅変更面５６ＡＹに押し付けるようにして当該幅変更面５６ＡＹ及び一面５６Ａの前端部に亘って摺動させる。
【０２３９】
これにより右サイドガイド５６は、紙幣６０の一方の長辺を搬送方向へ向けたまま、当該紙幣６０において預払機右方向の端部である右の短辺側を右前角部から徐々に上側へ捲るように変形させることができる。
【０２４０】
その結果、右サイドガイド５６は、紙幣６０が右の短辺側を上側へ捲るように変形させたまま、２個のフィードローラ５０、５１及び２個の取込ローラ５２、５３の間から送り出されて取込繰出搬送路４９の一端からステージ４５の一面４５Ａの上側へ放出されると、その紙幣６０に元の平坦な状態に戻ろうとする復元力を作用させることができる。
【０２４１】
また右抑えガイド５８も、左抑えガイド５７と同様に、右サイドガイド５６が紙幣６０の右の短辺側を上側へ捲るように変形させた際、下を向いた平坦な一面に当該紙幣６０の右の短辺側を右前角部から押し付けさせるようにして摺動させる。
【０２４２】
そして右抑えガイド５８は、紙幣６０が右の短辺側を上側へ捲るように変形させたまま取込繰出搬送路４９の一端からステージ４５の一面４５Ａの上側へ放出されたときにも、一面に右の短辺側を押し付けさせて紙幣６０を浮き上がらないように抑えている。
【０２４３】
これにより右抑えガイド５８は、紙幣６０に作用する復元力により、当該紙幣６０を元の平坦な状態に戻させながら、右サイドガイド５６の一面５６Ａから離隔させて左側へ変位させることができる。
【０２４４】
ここで、紙幣６０は、左の短辺側が上側に捲るように変形した場合、当該左の短辺側の上側へ捲るように変形した部分の根元から左の短辺までの幅に応じた大きさの復元力が作用する。
【０２４５】
また紙幣６０は、右の短辺側が上側に捲るように変形した場合も、当該右の短辺側の上側へ捲るように変形した部分の根元から右の短辺までの幅に応じた大きさの復元力が作用する。
【０２４６】
因みに、以下の説明では、紙幣６０において左の短辺側の上側に捲るように変形した部分、及び右の短辺側の上側に捲るように変形した部分を、それぞれ捲れ変形部分とも呼ぶ。
【０２４７】
また、以下の説明では、紙幣６０において左の捲れ変形部分の根元から左の短辺までの幅、及び右の捲れ変形部分の根元から右の短辺までの幅を、それぞれ捲れ幅とも呼ぶ。
【０２４８】
そして左サイドガイド５５は、取込繰出搬送路４９に取り込んだ紙幣６０の中心が搬送路幅の中心から預払機左方向へずれていた場合、一面５５Ａにおける幅規制面５５ＡＸの深さによって、当該紙幣６０の左の短辺側を上側へ捲るように変形させる際の捲れ幅を規制している。
【０２４９】
また右サイドガイド５６も、左サイドガイド５５と同様に、取込繰出搬送路４９に取り込んだ紙幣６０の中心が搬送路幅の中心から預払機右方向へずれていた場合、一面５６Ａにおける幅規制面５６ＡＸの深さによって、当該紙幣６０の右の短辺側を上側へ捲るように変形させる際の捲れ幅を規制している。
【０２５０】
因みに、以下の説明では、左サイドガイド５５において捲れ幅を規制するための一面５５Ａにおける幅規制面５５ＡＸの深さ、及び右サイドガイド５６において捲れ幅を規制するための一面５６Ａにおける幅規制面５６ＡＸの深さを、それぞれ捲れ幅規制深さとも呼ぶ。
【０２５１】
そして紙幣収納庫１８は、取込繰出搬送路４９に取り込んだ紙幣６０の中心が搬送路幅の中心から搬送路幅方向へずれていた場合、左サイドガイド５５や右サイドガイド５６により紙幣６０の左や右の短辺側を上側へ捲るように変形させることで作用する復元力を、その紙幣６０をステージ４５の一面４５Ａの中央部へ変位させるために利用している。
【０２５２】
すなわち、左サイドガイド５５は、捲れ幅規制深さが適宜選定されており、取込繰出搬送路４９に取り込んだ紙幣６０の中心が搬送路幅の中心から預払機左方向へずれていた場合、当該紙幣６０にステージ４５の一面４５Ａの中央部へ変位させるための復元力を作用させ得るように、その紙幣６０の左の短辺側を変形させるための捲れ幅を規制している。
【０２５３】
また右サイドガイド５６についても同様に、捲れ幅規制深さが適宜選定されており、取込繰出搬送路４９に取り込んだ紙幣６０の中心が搬送路幅の中心から預払機右方向へずれていた場合、当該紙幣６０にステージ４５の一面４５Ａの中央部へ変位させるための復元力を作用させ得るように、その紙幣６０の右の短辺側を変形させるための捲れ幅を規制している。
【０２５４】
ただし、紙幣収納庫１８は、上述のようにステージ４５の一面４５Ａの大きさが、長辺最長紙幣の長辺及び短辺最長紙幣の短辺を基準にして、サイズの異なる取扱可能姿勢を何れも一面４５Ａからはみ出させずに載上可能なように選定されている。
【０２５５】
よって紙幣収納庫１８では、取込繰出搬送路４９に取り込んだ紙幣６０の中心が搬送路幅の中心から搬送路幅方向へずれていた場合、その紙幣６０の長辺の長さが短いほど、当該紙幣６０をステージ４５の一面４５Ａの中央部に変位させるための変位量を大きくする必要がある。
【０２５６】
すなわち、紙幣収納庫１８では、紙幣６０の長辺の長さが短いほど捲れ幅を広くして、当該紙幣６０をステージ４５の一面４５Ａの中央部に変位させるための変位量を変える必要がある。
【０２５７】
従って紙幣収納庫１８では、長辺の長さが異なる取扱可能紙幣にそれぞれステージ４５の一面４５Ａの中央部に変位させるための最適な復元力を作用させるために、捲れ幅規制深さがそれぞれ取扱可能紙幣の長辺の異なる長さに応じて適宜選定された複数組の左サイドガイド５５及び右サイドガイド５６が予め用意されている。
【０２５８】
そして紙幣収納庫１８では、収納する紙幣６０が設定された場合、その紙幣６０の長辺の長さに対応する１組の左サイドガイド５５及び右サイドガイド５６を取り付けさせることで、紙幣６０の短辺側を、その長辺の長さに応じた捲れ幅で上側に捲るように変形させることができる。
【０２５９】
また紙幣収納庫１８は、例えば、現金自動預払機１の運用上、収納する紙幣６０の種類が変更された場合に変更前の紙幣６０と変更後の紙幣６０とで長辺の長さが異なると、変更前に取り付けていた１組の左サイドガイド５５及び右サイドガイド５６を、変更後の紙幣６０の長辺の長さに対応する１組の左サイドガイド５５及び右サイドガイド５６に交換させる。
【０２６０】
これにより紙幣収納庫１８は、収納する紙幣６０が変更された場合でも、変更後の紙幣６０の短辺側を、その長辺の長さに応じた捲れ幅で上側に捲るように変形させることができる。
【０２６１】
このようにして紙幣収納庫１８は、収納する紙幣６０の短辺側を上側へ捲るように変形させるための捲れ幅を、その紙幣６０の長辺の長さに応じて調整し得るようにしている。
【０２６２】
これにより紙幣収納庫１８は、サイズの異なる（すなわち、長辺の長さが異なる）紙幣６０の何れを収納する場合でも、取込繰出搬送路４９に取り込んだ紙幣６０の中心が搬送路幅の中心から搬送路幅方向へずれていると、その紙幣６０を、取込繰出搬送路４９の一端から紙幣収納スペース４０へ放出したとき、ステージ４５の一面４５Ａの中央部へ変位させることができる。
【０２６３】
ところで、複数組の左サイドガイド５５及び右サイドガイド５６は、それぞれ捲れ幅規制深さが異なるものの、例えば、預払機上下方向の長さが互いに等しく、また預払機前後方向の長さも互いに等しく形成されている。
【０２６４】
ただし、複数組の左サイドガイド５５及び右サイドガイド５６は、それぞれ一面５５Ａ、５６Ａの前端部と幅規制面５５ＡＸ、５６ＡＸとの間の長さを適宜変更することで、何れも幅変更面５５ＡＹ、５６ＡＹが当該一面５５Ａ、５６Ａ（すなわち、一面５５Ａ、５６Ａの前端部）に対して等しい角度で形成されている。
【０２６５】
また複数組の左サイドガイド５５及び右サイドガイド５６は、それぞれ幅変更面５５ＡＹ、５６ＡＹに紙幣６０の左前角部や右前角部が押し付けられた際、当該左前角部や右前角部に過度の負荷がかからないように、一面５５Ａ、５６Ａに対する幅変更面５５ＡＹ、５６ＡＹの角度が適宜選定されている。
【０２６６】
よって複数組の左サイドガイド５５及び右サイドガイド５６は、何れの１組が紙幣収納庫１８に取り付けられても、幅変更面５５ＡＹ、５６ＡＹに紙幣６０の左前角部や右前角部が押し付けられた際に当該左前角部や右前角部を折り曲げ、また皺がよるように潰すことを防止して、紙幣６０の左や右の短辺側を上側へ捲るように変形させることができる。
【０２６７】
さらに複数組の左サイドガイド５５及び右サイドガイド５６は、それぞれ捲れ幅を規制する捲れ幅規制深さが、対応する紙幣６０の長辺の長さに応じて異なるものの、当該紙幣６０の左や右の短辺側を、幅規制面５５ＡＸ、５６ＡＸに対する左や右の短辺の位置を基準にして上側に捲るように変形させている。
【０２６８】
よって複数組の左サイドガイド５５及び右サイドガイド５６は、それぞれ紙幣６０の左や右の短辺側を上側へ捲るように変形させた場合の一面５５Ａ、５６Ａに対する当該紙幣６０の左や右の短辺の位置がほぼ等しくなっている。
【０２６９】
このため複数組の左サイドガイド５５及び右サイドガイド５６の一面５５Ａ、５６Ａには、それぞれほぼ等しい高さ位置に左抑えガイド５７及び右抑えガイド５８が、当該左抑えガイド５７及び右抑えガイド５８の長手方向を預払機前後方向と平行にして設けられている。
【０２７０】
よって紙幣収納庫１８は、内部に１組の左サイドガイド５５及び右サイドガイド５６の配置スペースを確保するだけで、複数組の左サイドガイド５５及び右サイドガイド５６を何れも左抑えガイド５７及び右抑えガイド５８と共に配置することができる。
【０２７１】
そして左抑えガイド５７及び右抑えガイド５８は、左サイドガイド５５及び右サイドガイド５６が搬送中の紙幣６０の左や右の短辺側を上側に捲るように変形させる際、紙幣６０において徐々に上側へ変位する左前角部や右前角部を平坦な一面で受けて摺動させている。
【０２７２】
よって左抑えガイド５７及び右抑えガイド５８は、紙幣６０の左や右の短辺側が上側に捲るように変形した際、当該紙幣６０の左前角部や右前角部が損傷することを防止し、また皺がよるように潰れることも大幅に低減させて、その紙幣６０を浮き上がらないように抑えながら、ステージ４５の一面４５Ａの中央部へ変位させることができる。
【０２７３】
（１−５）紙幣収納庫による紙幣の取込処理及び繰出処理
次いで、制御ユニット１０が、上述した紙幣の入金処理において紙幣収納庫１８乃至２２で行う紙幣６０の取込処理、及び上述した紙幣の出金処理において当該紙幣収納庫１８乃至２２で行う紙幣６０の繰出処理について順に説明する。
【０２７４】
図１１に示すように、制御ユニット１０は、紙幣収納庫１８乃至２２による紙幣取込時、当該紙幣収納庫１８乃至２２において、ステージ駆動モータを動作させてステージ昇降部を駆動することによりステージ４５を上昇又は下降させる。
【０２７５】
そして制御ユニット１０は、紙幣収納庫１８乃至２２において、ステージ４５上で最も上に位置する紙幣（以下、これを最上位紙幣とも呼ぶ）６０が所定の紙幣取込位置に到達すると、ステージ駆動モータの動作を停止させる。
【０２７６】
これにより制御ユニット１０は、紙幣収納庫１８乃至２２において、２個のピッカローラとステージ４５上の最上位紙幣６０との間に、紙幣収納スペース４０への紙幣６０の取り込みに最適な、当該紙幣６０の所定枚数分の厚みに相当する隙間を形成する。
【０２７７】
この状態で制御ユニット１０は、紙幣収納庫１８乃至２２において、ローラ駆動モータを紙幣６０の取込用に動作させる。
【０２７８】
よって制御ユニット１０は、紙幣収納庫１８乃至２２において、第１ローラ回転軸と共に２個のフィードローラ５０、５１を紙幣６０の取込用に一回転方向へ回転させる。
【０２７９】
また制御ユニット１０は、紙幣収納庫１８乃至２２において、第１ローラ回転軸の一回転方向への回転に連動させて、第２ローラ回転軸と共に２個の取込ローラ５２、５３を紙幣６０の取込用に、２個のフィードローラ５０、５１の回転方向とは逆の他回転方向へ回転させる。
【０２８０】
さらに制御ユニット１０は、紙幣収納庫１８乃至２２において、第１ローラ回転軸の一回転方向への回転に連動させて、１又は複数組の搬送ローラもそれぞれ紙幣６０の取込用に互いに逆の一回転方向及び他回転方向へ回転させる。
【０２８１】
この状態で制御ユニット１０は、中央紙幣搬送路２７Ａを介して紙幣６０を１枚ずつ紙幣収納庫１８乃至２２へ搬送する。
【０２８２】
これにより制御ユニット１０は、紙幣収納庫１８乃至２２において紙幣６０を、紙幣取込繰出口３０ＢＸを介して取込繰出搬送路４９に取り込んで、互いに逆回転している１又は複数組の搬送ローラの間に順に挟み込むようにして２個のフィードローラ５０、５１及び２個の取込ローラ５２、５３側へ送り出す。
【０２８３】
また制御ユニット１０は、紙幣収納庫１８乃至２２において、１又は複数組の搬送ローラの間を順に通した紙幣６０を、引き続き互いに逆回転している２個のフィードローラ５０、５１と２個の取込ローラ５２、５３との間に挟み込むようにして紙幣収納スペース４０側へ送り出す。
【０２８４】
このようにして制御ユニット１０は、紙幣収納庫１８乃至２２において紙幣６０を、取込繰出搬送路４９を介して紙幣収納スペース４０側へ搬送して、当該紙幣６０を取込繰出搬送路４９の一端からステージ４５の一面４５Ａの上側へ放出する。
【０２８５】
これにより制御ユニット１０は、紙幣収納庫１８乃至２２において紙幣６０を落下させて、ステージ４５の一面４５Ａの最上位紙幣６０に重ねるように載せる。
【０２８６】
ところで、紙幣収納庫１８乃至２２は、取込繰出搬送路４９に取り込んだ紙幣６０の中心が搬送路幅の中心から搬送路幅方向へずれていた場合、当該紙幣６０をずれたままの状態で２個のフィードローラ５０、５１及び２個の取込ローラ５２、５３の間に挟み込みながら、左サイドガイド５５及び右サイドガイド５６の互いの幅規制面５５ＡＸ、５６ＡＸの間、及び互いの幅変更面５５ＡＹ、５６ＡＹの間を順に通過させる。
【０２８７】
よって紙幣収納庫１８乃至２２は、取込繰出搬送路４９を介して搬送される紙幣６０の左や右の短辺側を左前角部や右前角部から左サイドガイド５５及び右サイドガイド５６の幅変更面５５ＡＹ、５６ＡＹに押し付けて摺動させることで、当該紙幣６０の左や右の短辺側を左前角部や右前角部から徐々に上側へ捲るように変形させる。
【０２８８】
そして紙幣収納庫１８乃至２２は、紙幣６０を、左や右の短辺側を上側へ捲るように変形させたまま、２個のフィードローラ５０、５１及び２個の取込ローラ５２、５３の間から送り出して取込繰出搬送路４９の一端から紙幣収納スペース４０へ放出する。
【０２８９】
また紙幣収納庫１８乃至２２は、この際、左抑えガイド５７及び右抑えガイド５８の一面に紙幣６０の左や右の短辺側を押し付けるようにして摺動させる。
【０２９０】
よって紙幣収納庫１８乃至２２は、紙幣６０を、左や右の短辺側を上側へ捲るように変形させたまま取込繰出搬送路４９の一端から紙幣収納スペース４０へ放出したときには、左抑えガイド５７及び右抑えガイド５８により、その紙幣６０を浮き上がらないように抑えながら、当該紙幣６０に元の平坦な状態に戻ろうとする復元力を作用させる。
【０２９１】
従って紙幣収納庫１８乃至２２は、紙幣６０を元の平坦な状態に復元させて左サイドガイド５５及び右サイドガイド５６の一面５５Ａ、５６Ａから離隔させることにより、当該紙幣６０をステージ４５の一面４５Ａの中央部へ変位させながら落下させて最上位紙幣６０に重ねるように載せる。
【０２９２】
このようにして制御ユニット１０は、紙幣６０を、中央紙幣搬送路２７Ａを介して紙幣収納庫１８乃至２２へ搬送する毎に、当該紙幣収納庫１８乃至２２において同様に、その紙幣６０を取込繰出搬送路４９を介して紙幣収納スペース４０へ搬送してステージ４５の一面４５Ａに順に重ねるようにして収納することができる。
【０２９３】
ところで、制御ユニット１０は、紙幣収納庫１８乃至２２において例えば、ステージ４５の一面４５Ａに新たに１枚の紙幣６０を載せる毎に、ステージ駆動モータを間欠的に動作させてステージ昇降部を駆動することで、ステージ４５を僅かに下降させる。
【０２９４】
これにより制御ユニット１０は、紙幣収納庫１８乃至２２において、ステージ４５の一面４５Ａに新たに載せた紙幣６０（すなわち、新たな最上位紙幣６０）を紙幣取込位置に位置させる。
【０２９５】
このようにして制御ユニット１０は、紙幣収納庫１８乃至２２において、紙幣収納スペース４０に複数の紙幣６０を常に同一の取込条件で取り込ませる。
【０２９６】
従って制御ユニット１０は、紙幣収納庫１８乃至２２において、紙幣収納スペース４０に複数の紙幣６０を順次、取込繰出搬送路４９や、２個のピッカローラと最上位紙幣６０との間等で詰まらせることなく取り込んでステージ４５の一面４５Ａに順に積層するようにして収納することができる。
【０２９７】
一方、図１２に示すように、制御ユニット１０は、紙幣収納庫１８乃至２２による紙幣繰出時、当該紙幣収納庫１８乃至２２において、ステージ駆動モータを動作させてステージ昇降部を駆動することによりステージ４５を上昇させる。
【０２９８】
これにより制御ユニット１０は、紙幣収納庫１８乃至２２において、ステージ４５の一面４５Ａ上の最上位紙幣６０（すなわち、最上位紙幣６０の上を向いている一面）を、２個のピッカローラの外周面の下側の部分に所定の押圧力で押し付けて、ステージ駆動モータの動作を停止させる。
【０２９９】
この状態で制御ユニット１０は、紙幣収納庫１８乃至２２において、ローラ駆動モータを紙幣６０の繰出用に動作させる。よって制御ユニット１０は、第１ローラ回転軸と共に２個のフィードローラ５０、５１を紙幣６０の繰出用に他回転方向へ回転させる。
【０３００】
また制御ユニット１０は、紙幣収納庫１８乃至２２において、第１ローラ回転軸の他回転方向への回転に連動させて、１又は複数組の搬送ローラもそれぞれ紙幣６０の繰出用に互いに逆の一回転方向及び他回転方向へ回転させる。
【０３０１】
さらに制御ユニット１０は、紙幣収納庫１８乃至２２において、第１ローラ回転軸の他回転方向への回転に連動させて、２個のピッカローラも紙幣６０の繰出用に他回転方向へ回転させる。
【０３０２】
ただし、制御ユニット１０は、この際、紙幣収納庫１８乃至２２において、第２ローラ回転軸についてはワンウェイクラッチの作用により回転させないようにして、２個の取込ローラ５２、５３を、回転を停止させたままにする。
【０３０３】
これにより制御ユニット１０は、紙幣収納庫１８乃至２２において、２個のピッカローラにより、ステージ４５の一面４５Ａ上から最上位紙幣６０を取込繰出搬送路４９へ送り出すようにして、当該取込繰出搬送路４９に、その紙幣６０を取り込む。
【０３０４】
また制御ユニット１０は、紙幣収納庫１８乃至２２において、取込繰出搬送路４９に取り込んだ紙幣６０を、他回転方向へ回転している２個のフィードローラ５０、５１と、回転を停止させている２個の取込ローラ５２、５３との間に挟み込むようにして１又は複数組の搬送ローラ側へ送り出す。
【０３０５】
さらに制御ユニット１０は、紙幣収納庫１８乃至２２において、２個のフィードローラ５０、５１と２個の取込ローラ５２、５３との間を通した紙幣６０を、引き続き互いに逆回転している１又は複数組の搬送ローラの間に順に挟み込むようにして紙幣取込繰出口３０ＢＸ側へ送り出す。
【０３０６】
このようにして制御ユニット１０は、紙幣収納庫１８乃至２２に収納している紙幣６０を、取込繰出搬送路４９を介して紙幣取込繰出口３０ＢＸへ搬送して、当該紙幣取込繰出口３０ＢＸから中央紙幣搬送路２７Ａへ繰り出すことができる。
【０３０７】
因みに、制御ユニット１０は、この際、２個のピッカローラによりステージ４５の一面４５Ａ上から仮に２枚の紙幣６０が上下に重なったまま取込繰出搬送路４９側へ送り出されても、２個の取込ローラ５２、５３の回転を停止させているため、その２個の取込ローラ５２、５３によって下側の紙幣６０の送り出しを一旦止めて上側の紙幣６０のみを２個のフィードローラ５０、５１と２個の取込ローラ５２、５３との間に通すことができる。
【０３０８】
すなわち、制御ユニット１０は、紙幣収納庫１８乃至２２において２個のピッカローラによりステージ４５の一面４５Ａ上から仮に２枚の紙幣６０が上下に重なったまま取込繰出搬送路４９側へ送り出されても、これら２枚の紙幣６０を２個のフィードローラ５０、５１及び２個の取込ローラ５２、５３の間で分離して１枚ずつ繰り出すことができる。
【０３０９】
また制御ユニット１０は、この際、ステージ４５上から最上位紙幣６０を取込繰出搬送路４９へ送り出す毎に、ステージ駆動モータを間欠的に動作させてステージ昇降部を駆動することで、ステージ４５を僅かに上昇させる。
【０３１０】
すなわち、制御ユニット１０は、ステージ４５上から最上位紙幣６０を取込繰出搬送路４９へ送り出す毎に、ステージ４５により新たな最上位紙幣６０を２個のピッカローラの外周面の下側の部分に所定の押圧力で押し付ける。
【０３１１】
よって制御ユニット１０は、２個のピッカローラにより常に同一の送出条件で、ステージ４５の一面４５Ａ上の複数の紙幣６０を１枚ずつ取込繰出搬送路４９側へ送り出させている。
【０３１２】
これにより制御ユニット１０は、紙幣収納庫１８乃至２２に収納している紙幣６０を１枚ずつ的確に取込繰出搬送路４９を介して搬送して紙幣取込繰出口３０ＢＸから中央紙幣搬送路２７Ａへ繰り出すことができる。
【０３１３】
（１−６）第１の実施の形態の動作及び効果
以上の構成において、現金自動預払機１では、紙幣収納庫１８乃至２２において、紙幣収納スペース４０に紙幣６０を載せるためのステージ４５を配置するようにした。
【０３１４】
また現金自動預払機１では、紙幣収納庫１８乃至２２において、紙幣収納スペース４０の近傍に一対の上搬送ガイド４７及び下搬送ガイド４８を対向配置して、当該上搬送ガイド４７及び下搬送ガイド４８の間に紙幣６０を搬送するための取込繰出搬送路４９を形成して、当該取込繰出搬送路４９の一端を紙幣収納スペース４０に繋げるようにした。
【０３１５】
さらに現金自動預払機１では、紙幣収納庫１８乃至２２において、取込繰出搬送路４９及び紙幣収納スペース４０の両横に、一対の左サイドガイド５５及び右サイドガイド５６を互いの一面５５Ａ、５６Ａを対向させて配置するようにした。
【０３１６】
そして現金自動預払機１では、左サイドガイド５５及び右サイドガイド５６の一面５５Ａ、５６Ａにおいて、取込繰出搬送路４９及び紙幣収納スペース４０の境界付近よりも当該取込繰出搬送路４９側に、搬送路幅を所定の幅に規制するための所定の深さの幅規制面５５ＡＸ、５６ＡＸを形成するようにした。
【０３１７】
また現金自動預払機１では、左サイドガイド５５及び右サイドガイド５６の一面５５Ａ、５６Ａにおいて、取込繰出搬送路４９及び紙幣収納スペース４０の境界付近に、幅規制面５５ＡＸ、５６ＡＸによって規制する搬送路幅を紙幣収納スペース４０側に徐々に狭めるように変更する幅変更面５５ＡＹ、５６ＡＹを形成するようにした。
【０３１８】
さらに現金自動預払機１では、左サイドガイド５５及び右サイドガイド５６の一面５５Ａ、５６Ａにおいて取込繰出搬送路４９よりも上搬送ガイド４７側の所定位置に、一対の左抑えガイド５７及び右抑えガイド５８を設けるようにした。
【０３１９】
そして現金自動預払機１は、紙幣収納庫１８乃至２２において紙幣取込時、取込繰出搬送路４９に取り込んだ紙幣６０の中心が搬送路幅の中心から搬送路幅方向へずれていると、左サイドガイド５５及び右サイドガイド５６の幅変更面５５ＡＹ、５６ＡＹで、当該取込繰出搬送路４９を介して搬送する紙幣６０の左や右の短辺側を上側へ捲るように変形させる。
【０３２０】
また現金自動預払機１は、この際、紙幣収納庫１８乃至２２において左抑えガイド５７及び右抑えガイド５８の一面に、紙幣６０の上側へ捲るように変形させた左や右の短辺側
当該紙幣６０の左や右の短辺側を押し付けるようにして摺動させる。
【０３２１】
そして現金自動預払機１は、紙幣収納庫１８乃至２２において紙幣６０を、左や右の短辺側を上側へ捲るように変形させ、かつ左抑えガイド５７及び右抑えガイド５８の一面で摺動させたまま、取込繰出搬送路４９の一端からステージ４５の一面４５Ａの上側へ放出する。
【０３２２】
すなわち、現金自動預払機１は、紙幣収納庫１８乃至２２において取込繰出搬送路４９に取り込んだ紙幣６０の中心が搬送路幅の中心から搬送路幅方向へずれているために、その紙幣６０の左や右の短辺側を上側へ捲るように変形させる際、当該紙幣６０の左や右の短辺側を、左抑えガイド５７及び右抑えガイド５８の一面に何ら突き当てることなく押し付けるようにして紙幣収納スペース４０側まで摺動させて浮き上がりを抑えることができる。
【０３２３】
よって現金自動預払機１は、紙幣収納庫１８乃至２２において紙幣６０の左や右の短辺側を上側へ捲るように変形させても、当該紙幣６０の左や右の短辺側が損傷することを大幅に低減させることができる。
【０３２４】
その結果、現金自動預払機１は、紙幣収納庫１８乃至２２において取込繰出搬送路４９の一端から紙幣収納スペース４０へ放出した紙幣６０をステージ４５の一面４５Ａの中央部へ変位させて載せるものの、当該テージ４５の一面４５Ａ上で紙幣６０の損傷に起因する集積不良が発生することを大幅に低減させることができる。
【０３２５】
特に現金自動預払機１は、紙幣６０の左や右の短辺側を上側へ捲るように変形させる際の捲れ幅を、それぞれ紙幣６０の長辺の長さに応じた捲れ幅に規制する複数組の左サイドガイド５５及び右サイドガイド５６を用意すると共に、これら複数組の左サイドガイド５５及び右サイドガイド５６にそれぞれ左抑えガイド５７及び右抑えガイド５８を設けるようにした。
【０３２６】
そして現金自動預払機１は、紙幣収納庫１８乃至２２において、左サイドガイド５５及び右サイドガイド５６を交換可能にし、収納する紙幣６０の長辺の長さに対応する左サイドガイド５５及び右サイドガイド５６を取り付けるようにした。
【０３２７】
よって現金自動預払機１は、紙幣収納庫１８乃至２２に、長辺の長さの異なる紙幣６０の何れを収納する場合でも、紙幣６０の左や右の短辺側を上側へ捲るように変形させる際に左前角部や右前角部が損傷することを防止することができる。
【０３２８】
以上の構成によれば、現金自動預払機１は、紙幣収納庫１８乃至２２において取込繰出搬送路４９及び紙幣収納スペース４０の両横に、搬送路幅を所定の幅に規制し、また取込繰出搬送路４９及び紙幣収納スペース４０の境界付近では、その規制していた搬送路幅を徐々に狭めることで、取込繰出搬送路４９に取り込んだ紙幣６０の中心が搬送路幅の中心から搬送路幅方向へずれている場合は、当該紙幣６０の左や右の短辺側を上側へ捲るように変形させる一対の左サイドガイド５５及び右サイドガイド５６を対向させて配置すると共に、当該左サイドガイド５５及び右サイドガイド５６の対向する一面５５Ａ、５６Ａに、紙幣６０の浮き上がりを抑えるための一対の左抑えガイド５７及び右抑えガイド５８を、上搬送ガイド４７側に張り出すように設けるようにした。
【０３２９】
これにより現金自動預払機１は、紙幣収納庫１８乃至２２において取込繰出搬送路４９に取り込んだ紙幣６０の中心が搬送路幅の中心から搬送路幅方向へずれているために、その紙幣６０の左や右の短辺側を上側へ捲るように変形させる際、当該紙幣６０の左や右の短辺側を、左抑えガイド５７及び右抑えガイド５８の一面に何ら突き当てることなく押し付けるようにして紙幣収納スペース４０側まで摺動させて浮き上がりを抑えることができる。
【０３３０】
よって現金自動預払機１は、紙幣収納庫１８乃至２２において、紙幣６０の左や右の短辺側、特に左前角部や右前角部が損傷することを大幅に低減させることができる。
【０３３１】
また現金自動預払機１は、紙幣収納庫１８乃至２２において紙幣取込時、取込繰出搬送路４９に取り込んだ紙幣６０を、互いに逆回転している２個のフィードローラ５０、５１及び２個の取込ローラ５２、５３の間に挟み込むようにして紙幣収納スペース４０側へ搬送するように駆動している状態で、左サイドガイド５５及び右サイドガイド５６の互いの幅規制面５５ＡＸ、５６ＡＸの間、及び互いの幅変更面５５ＡＹ、５６ＡＹの間を順に通過させるようにした。
【０３３２】
従って現金自動預払機１は、紙幣収納庫１８乃至２２において紙幣６０を搬送しながら左や右の短辺側を上側へ捲るように変形させる際、当該紙幣６０が左及び右の短辺側の一方を他方よりも前側に位置させるように回転することをほぼ確実に防止することができる。
【０３３３】
よって現金自動預払機１は、紙幣収納庫１８乃至２２において、紙幣６０において上側へ捲るように変形させた左や右の短辺側が、左抑えガイド５７及び右抑えガイド５８の一面に比較的強く押し付けられて折れ曲がりや皺がよって潰れる等して損傷することをほぼ確実に防止することができる。
【０３３４】
さらに現金自動預払機１は、紙幣収納庫１８乃至２２において２個のフィードローラ５０、５１及び２個の取込ローラ５２、５３を、取込繰出搬送路４９及び紙幣収納スペース４０の境界近傍に配置するようにした。
【０３３５】
このため現金自動預払機１は、紙幣６０を搬送しながら変形させる際に当該紙幣６０が回転することを防止し得ることに加えて、その紙幣６０の一方の長辺を搬送方向（すなわち、紙幣収納スペース４０側）へ向けたまま、取込繰出搬送路４９の一端から紙幣収納スペース４０へ放出することもできる。
【０３３６】
そして現金自動預払機１は、左サイドガイド５５及び右サイドガイド５６の一面５５Ａ、５６Ａの前端部を紙幣収納スペース４０の両横で預払機前後方向と平行にするようにした。
【０３３７】
また現金自動預払機１は、左サイドガイド５５及び右サイドガイド５６の一面５５Ａ、５６Ａに設けられる左抑えガイド５７及び右抑えガイド５８の前端部も紙幣収納スペース４０の両横で預払機前後方向と平行にするようにした。
【０３３８】
よって現金自動預払機１は、左や右の短辺側を上側へ捲るように変形させた紙幣６０を取込繰出搬送路４９の一端から紙幣収納スペース４０へ放出した際、左抑えガイド５７及び右抑えガイド５８の一面で摺動させていた当該紙幣６０の左や右の短辺を預払機前後方向とほぼ平行にすることができる。
【０３３９】
このため現金自動預払機１は、紙幣収納スペース４０で紙幣６０を元の平坦な状態に戻しながら、左サイドガイド５５や右サイドガイド５６の一面５５Ａ、５６Ａから離隔させるとき、当該紙幣６０を、左及び右の短辺側の一方を他方よりも前側に位置させるように回転することをほぼ確実に防止して、ステージ４５の一面４５Ａの中央部へ的確に変位させることができる。
【０３４０】
さらに現金自動預払機１は、左サイドガイド５５及び右サイドガイド５６の一面５５Ａ、５６Ａにおいて幅規制面５５ＡＸ、５６ＡＸから幅変更面５５ＡＹ、５６ＡＹを経た前端部までに亘って左抑えガイド５７及び右抑えガイド５８を設けるようにした。
【０３４１】
従って現金自動預払機１は、紙幣収納庫１８乃至２２において、紙幣６０の左や右の短辺側を上側へ捲るように変形させる際、その左や右の短辺側が左抑えガイド５７や右抑えガイド５８の後端部に当たって損傷することを確実に防止することができる。
【０３４２】
また現金自動預払機１は、左サイドガイド５５及び右サイドガイド５６を比較的薄く形成している場合でも、左抑えガイド５７及び右抑えガイド５８を補強材のように機能させて破損し難くすることができる。
【０３４３】
（２）第２の実施の形態
（２−１）現金自動預払機の外観構成
次いで、第２の実施の形態による現金自動預払機７０（図１）について説明する。ただし、第２の実施の形態による現金自動預払機７０は、第１の実施の形態による現金自動預払機１（図１）と同様の外観構成を有している。
【０３４４】
よって、第２の実施の形態による現金自動預払機７０の外観構成については、図１を用いて上述した第１の実施の形態による現金自動預払機１の外観構成を参照することとして、ここでの説明は省略する。
【０３４５】
（２−２）現金自動預払機の内部構成
次いで、第２の実施の形態による現金自動預払機７０の内部構成について説明する。第２の実施の形態による現金自動預払機７０（図２）は、紙幣処理ユニット７１の一部構成を除いて上述した第１の実施の形態による現金自動預払機１と同様に構成されている。
【０３４６】
すなわち、図３との対応部分に同一符号を付した図１３に示すように、紙幣処理ユニット７１は、着脱可能に装着される複数の紙幣収納庫７２乃至７６の構成を除いて、上述した第１の実施の形態による紙幣処理ユニット１１と同様に構成されている。よって、以下には、複数の紙幣収納庫７２乃至７６の構成について説明する。
【０３４７】
（２−３）紙幣収納庫の外観構成
複数の紙幣収納庫７２乃至７６は、上述した第１の実施の形態による紙幣収納庫１８乃至２２と同様の外観構成を有している。
【０３４８】
よって、複数の紙幣収納庫７２乃至７６の外観構成については、図４を用いて上述した第１の実施の形態による紙幣収納庫１８乃至２２の外観構成を参照することとして、ここでの説明は省略する。
【０３４９】
（２−４）紙幣収納庫の内部構成
次いで、複数の紙幣収納庫７２乃至７６の内部構成について説明する。ただし、複数の紙幣収納庫７２乃至７６は、内部が同様に構成されている。
【０３５０】
このため、以下には、１つの紙幣収納庫７２の内部構成について説明し、他の紙幣収納庫７３乃至７６の内部構成については説明を省略する。
【０３５１】
図５乃至図７との対応部分に同一符号を付した図１４乃至図１６に示すように、紙幣収納庫７２は、収納庫内搬送部７９に設けられる左サイドガイド８０及び右サイドガイド８１と、左抑えガイド８２及び右抑えガイド８３と、左上搬送ガイド８５Ａ及び右上搬送ガイド８５Ｂからなる上搬送ガイド８５との構成を除いて、上述した第１の実施の形態による紙幣収納庫１８乃至２２と同様に構成されている。
【０３５２】
この場合、左上搬送ガイド８５Ａ及び右上搬送ガイド８５Ｂは、上述した第１の実施の形態による左上搬送ガイド４７Ａ及び右上搬送ガイド４７Ｂと基本的には同様に構成されている。
【０３５３】
そして左上搬送ガイド８５Ａ及び右上搬送ガイド８５Ｂは、一面８５ＡＸ、８５ＢＸを下側に向けて、上述した第１の実施の形態による左上搬送ガイド４７Ａ及び右上搬送ガイド４７Ｂと同様の位置に配置されることにより、下搬送ガイド４８と共に取込繰出搬送路４９を形成している。
【０３５４】
また左サイドガイド８０は、基本的には、上述した第１の実施の形態による左サイドガイド５５と同様に構成されており、一面８０Ａに幅規制面８０ＡＸ及び幅変更面８０ＡＹが形成されている。
【０３５５】
そして左サイドガイド８０は、当該左サイドガイド８０の長手方向を預払機上下方向と平行にし、かつ一面８０Ａを右側に向けた姿勢で、取込繰出搬送路４９及び紙幣収納スペース４０の左横に交換可能に設けられている。
【０３５６】
すなわち、左サイドガイド８０は、上端を左上搬送ガイド８５Ａの上側に突出させ、下端部を下搬送ガイド４８の配置位置よりも下側に位置させている。
【０３５７】
また左サイドガイド８０は、一面８０Ａの中央部を取込繰出搬送路４９及び紙幣収納スペース４０の境界付近に位置させて、幅変更面８０ＡＹにおいて後寄りの部分を、左側のフィードローラ５０及び取込ローラ５２の左側面において前寄りの部分と対向させている。
【０３５８】
よって左サイドガイド８０は、一面８０Ａの前端部を取込繰出搬送路４９及び紙幣収納スペース４０の境界付近よりも紙幣収納スペース４０側に位置させて、当該前端部の下寄りの所定の範囲を、昇降可能なステージ４５の左側面の後端部と対向させている。
【０３５９】
また左サイドガイド８０は、一面８０Ａの後端部を取込繰出搬送路４９及び紙幣収納スペース４０の境界付近よりも取込繰出搬送路４９側に位置させて、幅規制面８０ＡＸを、左側のフィードローラ５０及び取込ローラ５２の左側面において後寄りの部分と対向させている。
【０３６０】
一方、右サイドガイド８１も、基本的には、上述した第１の実施の形態による右サイドガイド５６と同様に構成されており、一面８１Ａに幅規制面８１ＡＸ及び幅変更面８１ＡＹが形成されている。
【０３６１】
そして右サイドガイド８１は、当該右サイドガイド８１の長手方向を預払機上下方向と平行にし、かつ一面８１Ａを左側に向けて左サイドガイド８０の一面８０Ａと対向させた姿勢で、取込繰出搬送路４９及び紙幣収納スペース４０の右横に交換可能に設けられている。
【０３６２】
すなわち、右サイドガイド８１は、上端を右上搬送ガイド８５Ｂの上側に突出させ、下端部を下搬送ガイド４８の配置位置よりも下側に位置させている。
【０３６３】
また右サイドガイド８１は、一面８１Ａの中央部を取込繰出搬送路４９及び紙幣収納スペース４０の境界付近に位置させて、幅変更面８１ＡＹにおいて後寄りの部分を、右側のフィードローラ５１及び取込ローラ５３の右側面において前寄りの部分と対向させている。
【０３６４】
よって右サイドガイド８１は、一面８１Ａの前端部を取込繰出搬送路４９及び紙幣収納スペース４０の境界付近よりも紙幣収納スペース４０側に位置させて、当該前端部の下寄りの所定の範囲を、昇降可能なステージ４５の右側面の後端部と対向させている。
【０３６５】
また右サイドガイド８１は、一面８１Ａの後端部を取込繰出搬送路４９及び紙幣収納スペース４０の境界付近よりも取込繰出搬送路４９側に位置させて、幅規制面８１ＡＸを、右側のフィードローラ５１及び取込ローラ５３の右側面において後寄りの部分と対向させている。
【０３６６】
これにより左サイドガイド８０及び右サイドガイド８１は、取込繰出搬送路４９において紙幣収納スペース４０との境界付近よりも後側に位置する幅規制面８０ＡＸ、８１ＡＸにより、当該取込繰出搬送路４９の搬送路幅を、長辺最長紙幣の長辺の長さよりも長い所定の幅に規制している。
【０３６７】
また左サイドガイド８０及び右サイドガイド８１は、取込繰出搬送路４９及び紙幣収納スペース４０の境界付近に位置する幅変更面８０ＡＹ、８１ＡＹにより、幅規制面８０ＡＸ、８１ＡＸによって規制した搬送路幅を、紙幣収納スペース４０側へ徐々に狭めるように変更している。
【０３６８】
さらに左サイドガイド８０及び右サイドガイド８１は、紙幣収納スペース４０の両横に位置する一面８０Ａ、８１Ａの前端部を、ステージ４５の左側面及び右側面の後端部に近接させている。
【０３６９】
これにより左サイドガイド８０及び右サイドガイド８１は、紙幣取込時、取込繰出搬送路４９に取り込まれた紙幣を、当該取込繰出搬送路４９を介して紙幣収納スペース４０側へ搬送させながらステージ４５の一面４５Ａの上側へ案内することができる。
【０３７０】
ただし、左サイドガイド８０は、一面８０Ａの上端部において左上搬送ガイド８５Ａの上側に向いた他面８５ＡＹの左縁と対向する位置に、当該一面８０Ａの後縁から前縁に亘って略クランク状に凹む段差部８０ＡＺが形成されている。
【０３７１】
また右サイドガイド８１も、左サイドガイド８０と同様に一面８１Ａの上端部において右上搬送ガイド８５Ｂの上側に向いた他面８５ＢＹの右縁と対向する位置に、当該一面８１Ａの後縁から前縁に亘って略クランク状に凹む段差部８１ＡＺが形成されている。
【０３７２】
また左抑えガイド８２及び右抑えガイド８３は、例えば、左サイドガイド８０及び右サイドガイド８１の預払機前後方向の長さよりも長い平板状に形成されている。
【０３７３】
そして左抑えガイド８２は、左側面８２Ａが左サイドガイド８０の段差部８０ＡＺに対応させて略クランク状に形成されている。
【０３７４】
また右抑えガイド８３は、右側面８３Ａが右サイドガイド８１の段差部８１ＡＺに対応させて略クランク状に形成されている。
【０３７５】
そのうえで、左抑えガイド８２は、一面８２Ｂを下側に向けて左上搬送ガイド８５Ａの他面８５ＡＹに、取付位置を預払機左右方向へ変更可能なように取り付けられている。
【０３７６】
そして左抑えガイド８２は、左上搬送ガイド８５Ａの他面８５ＡＹに対する取付位置が調整されることで、左端部を左サイドガイド８０の一面８０Ａの段差部８０ＡＺに係合させている。
【０３７７】
また右抑えガイド８３は、一面８３Ｂを下側に向けて右上搬送ガイド８５Ｂの他面８５ＢＹに、取付位置を預払機左右方向へ変更可能なように取り付けられている。
【０３７８】
そして右抑えガイド８３は、右上搬送ガイド８５Ｂの他面８５ＡＹに対する取付位置が調整されることで、左端部を右サイドガイド８１の一面８１Ａの段差部８１ＡＺに係合させている。
【０３７９】
ここで、紙幣収納庫７２についても、長辺の長さが異なる取扱可能紙幣にそれぞれステージ４５の一面４５Ａの中央部に変位させるための最適な復元力を作用させるために、捲れ幅規制深さがそれぞれ取扱可能紙幣の長辺の異なる長さに応じて適宜選定された複数組の左サイドガイド８０及び右サイドガイド８１が予め用意されている。
【０３８０】
よって紙幣収納庫７２でも、収納する紙幣６０が設定や変更された場合、設定された紙幣６０や変更後の紙幣６０の長辺の長さに対応する１組の左サイドガイド８０及び右サイドガイド８１を取り付けさせている。
【０３８１】
そして紙幣収納庫７２は、収納する紙幣６０に対応する１組の左サイドガイド８０及び右サイドガイド８１を取り付けられた際、左上搬送ガイド８５Ａの他面８５ＡＹに対する左抑えガイド８２の取付位置を調整させることで、当該左抑えガイド８２の左端部を左サイドガイド８０の一面８０Ａの段差部８０ＡＺに係合させる。
【０３８２】
また紙幣収納庫７２は、右上搬送ガイド８５Ｂの他面８５ＡＹに対する右抑えガイド８３の取付位置についても調整させることで、当該右抑えガイド８３の右端部を右サイドガイド８１の一面８１Ａの段差部８１ＡＺに係合させる。
【０３８３】
これにより紙幣収納庫７２は、左サイドガイド８０及び右サイドガイド８１並びに左抑えガイド８２及び右抑えガイド８３を、上述した第１の実施の形態による左サイドガイド５５及び右サイドガイド５６並びに左抑えガイド５７及び右抑えガイド５８と同様に機能させることができる。
【０３８４】
よって紙幣収納庫７２は、サイズの異なる（すなわち、長辺の長さが異なる）紙幣６０の何れを収納する場合でも、取込繰出搬送路４９に取り込んだ紙幣６０の中心が搬送路幅の中心から搬送路幅方向へずれていたときには、当該紙幣６０の短辺側を、その長辺の長さに応じた捲れ幅で上側に捲るように変形させることができる。
【０３８５】
そして紙幣収納庫７２は、その変形させた紙幣６０を、取込繰出搬送路４９の一端から紙幣収納スペース４０へ放出すると、当該ステージ４５の一面４５Ａの中央部へ変位させることができる。
【０３８６】
すなわち、図８乃至図１０との対応部分に同一符号を付した図１７乃至図１９に示すように、左サイドガイド８０は、紙幣取込時に取込繰出搬送路４９に取り込んだ紙幣６０の中心が搬送路幅の中心から預払機左方向へずれていた場合、取込繰出搬送路４９を介して搬送される紙幣６０の左の短辺側を左前角部から幅変更面８０ＡＹに押し付けるようにして当該幅変更面８０ＡＹ及び一面８０Ａの前端部に亘って摺動させる。
【０３８７】
これにより左サイドガイド８０は、紙幣６０の一方の長辺を搬送方向へ向けたまま、当該紙幣６０の左の短辺側を左前角部から徐々に上側へ捲るように変形させることができる。
【０３８８】
その結果、左サイドガイド８０は、紙幣６０が左の短辺側を上側へ捲るように変形させたまま、２個のフィードローラ５０、５１及び２個の取込ローラ５２、５３の間から送り出されて取込繰出搬送路４９の一端から紙幣収納スペース４０へ放出されると、その紙幣６０に元の平坦な状態に戻ろうとする復元力を作用させることができる。
【０３８９】
また左抑えガイド８２は、左サイドガイド８０が紙幣６０の左の短辺側を上側へ捲るように変形させた際、下に向いた平坦な一面８２Ｂの左端部に当該紙幣６０の左の短辺側を左前角部から押し付けさせるようにして紙幣収納スペース４０側へ摺動させる。
【０３９０】
よって左抑えガイド８２は、紙幣６０が左の短辺側を上側へ捲るように変形させたまま取込繰出搬送路４９の一端から紙幣収納スペース４０へ放出されたとき、一面８２Ｂの左端部に左の短辺側を押し付けさせて紙幣６０を浮き上がらないように抑えている。
【０３９１】
これにより左抑えガイド８２は、紙幣６０に作用する復元力により、当該紙幣６０を元の平坦な状態に戻させながら、左サイドガイド８０の一面８０Ａから離隔させてステージ４５の一面４５Ａの中央部へ変位させることができる。
【０３９２】
一方、右サイドガイド８１も、左サイドガイド８０と同様に、紙幣取込時に取込繰出搬送路４９に取り込んだ紙幣６０の中心が搬送路幅の中心から預払機右方向へずれていた場合、取込繰出搬送路４９を介して搬送される紙幣６０の右の短辺側を右前角部から幅変更面８１ＡＹに押し付けるようにして当該幅変更面８１ＡＹ及び一面８１Ａの前端部に亘って摺動させる。
【０３９３】
これにより右サイドガイド８１は、紙幣６０の一方の長辺を搬送方向へ向けたまま、当該紙幣６０の右の短辺側を左前角部から徐々に上側へ捲るように変形させることができる。
【０３９４】
その結果、右サイドガイド８１は、紙幣６０が右の短辺側を上側へ捲るように変形させたまま、２個のフィードローラ５０、５１及び２個の取込ローラ５２、５３の間から送り出されて取込繰出搬送路４９の一端から紙幣収納スペース４０へ放出されると、その紙幣６０に元の平坦な状態に戻ろうとする復元力を作用させることができる。
【０３９５】
また右抑えガイド８３も、左抑えガイド８２と同様に、右サイドガイド８１が紙幣６０の右の短辺側を上側へ捲るように変形させた際、下に向いた平坦な一面８３Ｂの右端部に当該紙幣６０の右の短辺側を右前角部から押し付けさせるようにして紙幣収納スペース４０側へ摺動させる。
【０３９６】
よって右抑えガイド８３は、紙幣６０が右の短辺側を上側へ捲るように変形させたまま取込繰出搬送路４９の一端から紙幣収納スペース４０へ放出されたとき、一面８３Ｂの右端部に右の短辺側を押し付けさせて紙幣６０を浮き上がらないように抑えている。
【０３９７】
これにより右抑えガイド８３は、紙幣６０に作用する復元力により、当該紙幣６０を元の平坦な状態に戻させながら、右サイドガイド８１の一面８１Ａから離隔させてステージ４５の一面４５Ａの中央部へ変位させることができる。
【０３９８】
因みに、紙幣収納庫７２乃至７６は、図１１について上述した場合と同様に制御ユニット１０の制御のもと、紙幣６０の入金処理において紙幣６０の取込処理を実行して入金用の紙幣６０を収納することができる。
【０３９９】
また紙幣収納庫７２乃至７６は、図１２について上述した場合と同様に制御ユニット１０の制御のもと、紙幣６０の出金処理において紙幣６０の繰出処理を実行して出金用の紙幣６０を繰り出すことができる。
【０４００】
（２−５）第２の実施の形態の動作及び効果
以上の構成において、現金自動預払機７０では、紙幣収納庫７２乃至７６において、取込繰出搬送路４９及び紙幣収納スペース４０の両横に、搬送路幅を所定の幅に規制し、また取込繰出搬送路４９及び紙幣収納スペース４０の境界付近では、その規制していた搬送路幅を徐々に狭めるための一対の左サイドガイド８０及び右サイドガイド８１を対向させて配置するようにした。
【０４０１】
そして現金自動預払機７０では、左サイドガイド８０及び右サイドガイド８１の一面８０Ａ、８１Ａの上端部に段差部８０ＡＺ、８１ＡＺを形成するようにした。
【０４０２】
また現金自動預払機７０では、紙幣収納庫７２乃至７６において、左上搬送ガイド８５Ａの他面８５ＡＹに左抑えガイド８２を、取付位置を変更可能に取り付けて、当該左抑えガイド８２の左端部を左サイドガイド８０の段差部８０ＡＺに係合させるようにした。
【０４０３】
さらに現金自動預払機７０では、紙幣収納庫７２乃至７６において、右上搬送ガイド８５Ｂの他面８５ＢＹに右抑えガイド８３を、取付位置を変更可能に取り付けて、当該右抑えガイド８３の右端部を右サイドガイド８１の段差部８１ＡＺに係合させるようにした。
【０４０４】
従って現金自動預払機７０は、上述した第１の実施の形態の場合と同様に、紙幣収納庫７２乃至７６において取込繰出搬送路４９に取り込んだ紙幣６０の中心が搬送路幅の中心から搬送路幅方向へずれているために、その紙幣６０の左や右の短辺側を上側へ捲るように変形させる際、当該紙幣６０の左や右の短辺側を、左抑えガイド８２の一面８２Ｂや右抑えガイド８３の一面８３Ｂに何ら突き当てることなく押し付けるようにして紙幣収納スペース４０側まで摺動させて浮き上がりを抑えることができる。
【０４０５】
よって現金自動預払機７０は、紙幣収納庫７２乃至８６において紙幣６０の左や右の短辺側を上側へ捲るように変形させても、当該紙幣６０の左や右の短辺側が損傷することを大幅に低減させることができる。
【０４０６】
以上の構成によれば、現金自動預払機７０は、紙幣収納庫７２乃至７６において取込繰出搬送路４９及び紙幣収納スペース４０の両横に、搬送路幅を所定の幅に規制し、また取込繰出搬送路４９及び紙幣収納スペース４０の境界付近では、その規制していた搬送路幅を徐々に狭めることで、取込繰出搬送路４９に取り込んだ紙幣６０の中心が搬送路幅の中心から搬送路幅方向へずれている場合は、当該紙幣６０の左や右の短辺側を上側へ捲るように変形させる一対の左サイドガイド８０及び右サイドガイド８１を設けると共に、当該左サイドガイド８０及び右サイドガイド８１の一面８０Ａ、８１Ａの上端部に段差部８０ＡＺ、８１ＡＺを形成し、左上搬送ガイド８５Ａの他面８５ＡＹに左抑えガイド８２を、取付位置を変更可能に取り付けて、当該左抑えガイド８２の左端部を左サイドガイド８０の段差部８０ＡＺに係合させると共に、右上搬送ガイド８５Ｂの他面８５ＢＹに右抑えガイド８３を、取付位置を変更可能に取り付けて、当該右抑えガイド８３の右端部を右サイドガイド８１の段差部８１ＡＺに係合させるようにした。
【０４０７】
これにより現金自動預払機７０は、上述した第１の実施の形態によって得られる効果と同様の効果を得ることができると共に、これに加えて、紙幣収納庫７２乃至７６において紙幣６０の取り込みに対し、左サイドガイド８０及び右抑えガイド８３を、複数組の左サイドガイド８０及び右サイドガイド８１の何れの１組とも組み合わせて用いることができる。
【０４０８】
よって現金自動預払機７０は、紙幣収納庫７２乃至７６に交換可能に設けられる複数組の左サイドガイド８０及び右サイドガイド８１の構成を簡易化することができる。
【０４０９】
（３）他の実施の形態
（３−１）他の実施の形態１
なお上述した第１及び第２の実施の形態においては、左サイドガイド５５、８０の一面５５Ａ、８０Ａに預払機上下方向と平行な幅規制面５５ＡＸ、８０ＡＸと前斜め右方向と平行な幅変更面５５ＡＹ、８０ＡＹとを形成すると共に、右サイドガイド５６、８１の一面５６Ａ、８１Ａに預払機上下方向と平行な幅規制面５６ＡＸ、８１ＡＸと前斜め左方向と平行な幅変更面５６ＡＹ、８１ＡＹとを形成するようにした場合について述べた。
【０４１０】
しかしながら本発明は、これに限らず、例えば、図２０に示すように、左サイドガイド９０及び右サイドガイド９１の一面９０Ａ、９１Ａに、取込繰出搬送路４９の真横で搬送路幅を規制しつつも、互いの間隔を取込繰出搬送路４９の下側から上側へ徐々に広げるように傾斜する幅規制面９０ＡＸ、９１ＡＸを形成する。
【０４１１】
また本発明は、左サイドガイド９０の一面９０Ａに、上斜め左前方向と平行に傾斜する幅変更面９０ＡＹを形成すると共に、右サイドガイド９１の一面９１Ａに、上斜め右前方向と平行に傾斜する幅変更面９１ＡＹを形成するようにしても良い。
【０４１２】
また本発明は、係る構成によれば、取込繰出搬送路４９に取り込んだ紙幣６０の中心が搬送路幅の中心から搬送路幅方向へずれているために、当該紙幣６０の左や右の短辺側を捲るように変形させる際、当該左や右の短辺側を幅規制面９０ＡＸ、９１ＡＸ及び幅変更面９０ＡＹ、９１ＡＹの傾斜に沿わせてほぼ確実に上側へ捲るように変形させることができる。
【０４１３】
よって本発明は、紙幣６０の捲るように変形させた左や右の短辺側をほぼ確実に左抑えガイド５７や右抑えガイド５８の一面に押し付けるようにして摺動させることができ、その結果、当該紙幣６０を取込繰出搬送路４９の一端から紙幣収納スペース４０へ放出したとき、当該ステージ４５の一面４５Ａの中央部にほぼ確実に変位させることができる。
【０４１４】
（３−２）他の実施の形態２
また上述した第１及び第２の実施の形態においては、紙幣収納庫１８乃至２２、７２乃至７６に左サイドガイド５５、８０及び右サイドガイド５６、８１を交換可能に設けるようにした場合について述べた。
【０４１５】
しかしながら本発明は、これに限らず、例えば、図９との対応部分に同一符号を付した図２１に示すように、紙幣収納庫１００に対し、捲れ幅規制深さが所定の深さに選定された１組の左サイドガイド１０１及び右サイドガイド１０２を、種々の幅のカラー１０５、１０６と種々の長さのねじ１０７、１０８とを用いて、互いの一面１０１Ａ、１０２Ａの間隔を変更可能に設けるようにしても良い。
【０４１６】
本発明は、係る構成によれば、複数組の左サイドガイド５５、８０及び右サイドガイド５６、８１を用意する必要がなく、紙幣収納庫１００において、収納する紙幣６０の長辺の長さに応じて１組の左サイドガイド１０１及び右サイドガイド１０２の配置間隔を変更するだけで、上述した第１の実施の形態によって得られる効果と同様の効果を得ることができる。
【０４１７】
（３−３）他の実施の形態３
また上述した第１及び第２の実施の形態においては、紙幣収納庫１８乃至２２、７２乃至７６の収納庫内搬送部４６、７９において取込繰出搬送路４９の両横から紙幣収納スペース４０の両横に亘って一対の左サイドガイド５５、８０及び右サイドガイド５６、８１を互いの一面５５Ａ、８０Ａ、５６Ａ、８１Ａを対向させて配置するようにした場合について述べた。
【０４１８】
しかしながら本発明は、これに限らず、紙幣収納庫の収納庫内搬送部において取込繰出搬送路の両横に一対の左サイドガイド及び右サイドガイドを互いの一面を対向させて配置し、一対の左抑えガイド及び右抑えガイドを、当該一対の左サイドガイド及び右サイドガイドから上搬送ガイド４７、８５側に突出させるようにして設けるようにしても良い。
【０４１９】
また本発明は、紙幣収納庫の収納庫内搬送部において２個のフィードローラ及び２個の取込ローラ、又は他の複数組のローラを、一対の左サイドガイド及び右サイドガイドの幅規制面及び幅変更面と対向させて配置する。
【０４２０】
そして本発明は、紙幣収納庫において紙幣取込時、取込繰出搬送路に取り込んだ紙幣を、２個のフィードローラ及び２個の取込ローラの間、又は他の複数組のローラの間に挟み込むようにして紙幣収納スペース側へ搬送するように駆動している状態で、左サイドガイド及び右サイドガイドの互いの幅規制面の間、及び互いの幅変更面の間を順に通過させるようにしても良い。
【０４２１】
本発明は、係る構成によれば、紙幣収納庫において紙幣取込時に取込繰出搬送路に取り込んだ紙幣の中心が搬送路幅の中心から搬送路幅方向へずれていた場合、その取込繰出搬送路を介して紙幣を搬送しながら、左サイドガイド及び右サイドガイドと一対の左抑えガイド及び右抑えガイドとにより当該紙幣を搬送路幅の中央部に変位させたうえで取込繰出搬送路の一端から紙幣収納スペースへ放出させることができる。
【０４２２】
これにより本発明は、係る構成によっても、上述した第１及び第２の実施の形態によって得られる効果と同様の効果を得ることができる。
【０４２３】
ところで、本発明は、係る収納庫内搬送部の構成を、例えば、上述した前側搬送部２５や上側搬送部２６、中央搬送部２７に適用することもできる。
【０４２４】
本発明は、このように係る構成を前側搬送部２５や上側搬送部２６、中央搬送部２７に適用した場合、前側紙幣搬送路２５Ａや上側紙幣搬送路２６Ａ、中央紙幣搬送路２７Ａを介して紙幣を搬送しながら搬送路幅の中央部に変位させたうえで、鑑別部１５や一時保留部１６等に引き渡すことができる。
【０４２５】
よって本発明は、係る構成によれば、前側紙幣搬送路２５Ａや上側紙幣搬送路２６Ａ、中央紙幣搬送路２７Ａを介して搬送する紙幣が鑑別部１５や一時保留部１６等との接続部分に詰まることをほぼ確実に防止することができると共に、その紙幣を搬送路幅の中央部に変位させる際に当該紙幣の端部が破損することも大幅に低減させることができる。
【０４２６】
（３−４）他の実施の形態４
また上述した第１及び第２の実施の形態においては、現金自動預払機１、７０及び紙幣収納庫１８乃至２２、７２乃至７６内で長方形の紙幣６０を、一方の長辺を搬送方向の上流側へ位置させ、かつ他方の長辺を当該搬送方向の下流側に位置させた搬送姿勢で搬送するようにした場合について述べた。
【０４２７】
しかしながら本発明は、これに限らず、現金自動預払機及び紙幣収納庫内で長方形の紙幣を、一方の短辺を搬送方向の上流側へ位置させ、かつ他方の短辺を当該搬送方向の下流側に位置させた搬送姿勢で搬送するようにしても良い。
【０４２８】
そして本発明は、紙幣収納庫において取込繰出搬送路に取り込んだ紙幣の中心が搬送路幅の中心から搬送路幅方向へずれている場合、その紙幣において搬送路幅方向の端部である一方の長辺側及び他方の長辺側を上側へ捲るように変形させるようにしても良い。
【０４２９】
本発明は、係る構成の場合も、上述した第１及び第２の実施の形態によって得られる効果と同様の効果を得ることができる。
【０４３０】
（３−５）他の実施の形態５
さらに上述した第１及び第２の実施の形態においては、本発明による紙葉類収納装置を、図１乃至図２１について上述した現金自動預払機１、７０に着脱可能に設けられる紙幣収納庫１８乃至２２、７２乃至７６に適用するようにした場合について述べた。
【０４３１】
しかしながら本発明は、これに限らず、現金自動預払機１、７０に着脱可能に設けられる上述のリジェクト庫１７や、当該現金自動預払機に固設される紙幣収納庫、現金自動支払機（CD：Cash  Dispenser）、両替機、電車の切符や観劇のチケット等を販売する券売機、精算機、自動販売機、パチンコ台やスロット台のような遊戯機に着脱可能に設けられ、又は固設された紙幣収納庫に適用することができる。
【０４３２】
また本発明は、紙葉類収納装置を、券売機に着脱可能に設けられ、又は固設され、切符やチケットを収納する券収納装置、有価証券取扱機に着脱可能に設けられ、又は固設され、有価証券を収納する有価証券収納庫、コピー機に着脱可能に設けられ、又は固設され、コピー用紙を収納する用紙収納庫、葉書取扱装置に着脱可能に設けられ、又は固設され、葉書を収納する葉書収納庫、紙幣やチケット等の種々の紙葉類に対する繰出機能は有さずに取込機能のみを有する紙葉類収納装置等のように、この他種々の紙葉類を収納する紙葉類収納装置にも広く適用することができる。
【０４３３】
（３−６）他の実施の形態６
さらに上述した第１及び第２の実施の形態においては、本発明による紙葉類取扱装置を、図１乃至図２１について上述した現金自動預払機１、７０に適用するようにした場合について述べた。
【０４３４】
しかしながら本発明は、これに限らず、紙幣を取り扱う現金自動支払機、両替機、券売機、精算機、自動販売機及び遊戯機、切符やチケットを取り扱う券売機、有価証券を取り扱う有価証券取扱機、コピー用紙を取り扱うコピー機、葉書を取り扱う葉書取扱装置等のように、この他種々の紙葉類を取り扱う紙葉類取扱装置に広く適用することができる。
【０４３５】
（３−７）他の実施の形態７
さらに上述した第１及び第２の実施の形態においては、本発明による紙葉類搬送装置を、図１乃至図２１について上述した紙幣収納庫１８乃至２２、７２乃至７６に設けられた収納庫内搬送部４６、７９に適用するようにした場合について述べた。
【０４３６】
しかしながら本発明は、これに限らず、上述した前側搬送部２５や上側搬送部２６、中央搬送部２７のように紙幣を搬送する搬送部、また切符、チケット、有価証券、コピー用紙及び葉書等の紙葉類を搬送する搬送部等のように、この他種々の紙葉類を搬送する紙葉類搬送装置に広く適用することができる。
【０４３７】
（３−８）他の実施の形態８
さらに上述した第１及び第２の実施の形態においては、搬送路を介して所定の搬送方向へ搬送する紙葉類として、図１乃至図２１について上述した紙幣６０を適用するようにした場合について述べた。
【０４３８】
しかしながら本発明は、これに限らず、有価証券や切符、チケット、コピー用紙、葉書等のように、この他種々の紙葉類を広く適用することができる。
【０４３９】
（３−９）他の実施の形態９
さらに上述した第１及び第２の実施の形態においては、紙葉類を所定の搬送方向へ搬送するための搬送路を形成する一対の第１搬送ガイド及び第２搬送ガイドとして、図１乃至図２１について上述した左上搬送ガイド４７Ａ、８５Ａ及び右上搬送ガイド４７Ｂ、８５Ｂからなる上搬送ガイド４７、８５と、下搬送ガイド４８とを適用するようにした場合について述べた。
【０４４０】
しかしながら本発明は、これに限らず、１個の第１搬送ガイド、及び２個の搬送ガイドからなる第２搬送ガイドや、何れも１個の第１搬送ガイド及び第２搬送ガイド等のように、この他種々の構成の第１搬送ガイド及び第２搬送ガイドを広く適用することができる。
【０４４１】
（３−１０）他の実施の形態１０
さらに上述した第１及び第２の実施の形態においては、搬送路の両横に互いの一面を対向させて配置され、互いの当該一面において搬送方向の上流側に搬送路幅を規制する幅規制部が形成されると共に、幅規制部よりも搬送方向の下流側に当該幅規制部によって規制する搬送路幅を徐々に狭めるように変更する幅変更部が形成される一対の第１サイドガイド及び第２サイドガイドとして、図１乃至図２１について上述した左サイドガイド５５、８０及び右サイドガイド５６、８１を適用するようにした場合について述べた。
【０４４２】
しかしながら本発明は、これに限らず、例えば、一面において幅規制部を除き幅変更部から前端部に亘って第１抑えガイド及び第２抑えガイドが設けられた第１サイドガイド及び第２サイドガイド等のように、この他種々の構成の第１サイドガイド及び第２サイドガイドを広く適用することができる。
【０４４３】
（３−１１）他の実施の形態１１
さらに上述した第１及び第２の実施の形態においては、一対の第１サイドガイド及び第２サイドガイドから第１搬送ガイド側へ張り出すように設けられ、搬送路を介して搬送方向へ搬送される紙葉類の端部が第１搬送ガイド側へ捲るように変形した際、当該紙葉類の浮き上がりを抑える一対の第１抑えガイド及び第２抑えガイドとして、図１乃至図２１について上述した左抑えガイド５７、８２及び右抑えガイド５８、８３を適用するようにした場合について述べた。
【０４４４】
しかしながら本発明は、これに限らず、例えば、第１サイドガイド及び第２サイドガイドの一面において幅規制部を除き幅変更部から前端部に亘って設けられる第１抑えガイド及び第２抑えガイド等のように、この他種々の構成の第１抑えガイド及び第２抑えガイドを広く適用することができる。
【０４４５】
（３−１２）他の実施の形態１２
さらに上述した第１及び第２の実施の形態においては、搬送路に取り込まれた紙葉類を挟み込むようにして搬送方向の上流側から下流側へ搬送するように駆動した状態で、当該紙葉類を一対の第１サイドガイド及び第２サイドガイドの幅規制部間及び幅変更部間を順に通過させる搬送駆動部として、図１乃至図２１について上述した２個のフィードローラ５０、５１及び２個の取込ローラ５２、５３を適用するようにした場合について述べた。
【０４４６】
しかしながら本発明は、これに限らず、１個のフィードローラ及び１個の取込ローラからなる搬送駆動部や、３個以上のフィードローラ及び３個以上の取込ローラからなる搬送駆動部や外周面に一周に亘る１又は複数の凹部が形成されたフィードローラ、及び外周面に一周に亘る１又は複数の凹部が形成され、当該外周面の凸部及び凹部をフィードローラの外周面の凹部及び凸部に非接触の状態で僅かに嵌合させる取込ローラからなる搬送駆動部、１又は複数組の搬送ベルトからなる搬送駆動部、１又は複数の搬送ベルト、及び１又は複数の搬送ローラからなる搬送駆動部等のように、この他種々の構成の搬送駆動部を広く適用することができる。
【０４４７】
（３−１３）他の実施の形態１３
さらに上述した第１及び第２の実施の形態においては、紙葉類を収納する紙葉類収納スペースとして、図１乃至図２１について上述したステージ４５が昇降可能に設けられた紙幣収納スペース４０を適用するようにした場合について述べた。
【０４４８】
しかしながら本発明は、これに限らず、紙葉類の搬送先となり、固設又は着脱可能に配置されるトレイ内の紙葉類収納スペース等のように、この他種々の構成の紙幣収納スペースを広く適用することができる。
【産業上の利用可能性】
【０４４９】
本発明は、紙幣や有価証券、切符、チケット、コピー用紙、葉書等の紙葉類を取り込んで収納するカセット等の紙葉類収納装置や、紙幣や有価証券、切符、チケット、コピー用紙、葉書等の紙葉類を取り扱う現金自動預払機や現金自動支払機等の紙葉類取扱装置に利用することができる。
【符号の説明】
【０４５０】
１、７０……現金自動預払機、１８乃至２２、７２乃至７６、１００……紙幣収納庫、４０……紙幣収納スペース、４５……ステージ、４５Ａ、５５Ａ、５６Ａ、８０Ａ、８１Ａ、９０Ａ、９１Ａ、１０１Ａ、１０２Ａ……一面、４６、７９……収納庫内搬送部、４７、８５……上搬送ガイド、４７Ａ、８５Ａ……左上搬送ガイド、４７Ｂ、８５Ｂ……右上搬送ガイド、４８……下搬送ガイド、４９……取込繰出搬送路、５０、５１……フィードローラ、５２、５３……取込ローラ、５５、８０、９０、１０１……左サイドガイド、５５ＡＸ、５６ＡＸ、８０ＡＸ、８１ＡＸ、９０ＡＸ、９１ＡＸ……幅規制面、５６ＡＹ、５６ＡＹ、８０ＡＹ、８１ＡＹ、９０ＡＹ、９１ＡＹ……幅変更面、５６、８１、９１、１０２……右サイドガイド、５７、８２……左抑えガイド、５８、８３……右抑えガイド、６０……紙幣。
【図１】
2014197272.tif 000003
【図２】
2014197272.tif 000004
【図３】
2014197272.tif 000005
【図４】
2014197272.tif 000006
【図５】
2014197272.tif 000007
【図６】
2014197272.tif 000008
【図７】
2014197272.tif 000009
【図８】
2014197272.tif 000010
【図９】
2014197272.tif 000011
【図１０】
2014197272.tif 000012
【図１１】
2014197272.tif 000013
【図１２】
2014197272.tif 000014
【図１３】
2014197272.tif 000015
【図１４】
2014197272.tif 000016
【図１５】
2014197272.tif 000017
【図１６】
2014197272.tif 000018
【図１７】
2014197272.tif 000019
【図１８】
2014197272.tif 000020
【図１９】
2014197272.tif 000021
【図２０】
2014197272.tif 000022
【図２１】
2014197272.tif 000023
【図２２】
2014197272.tif 000024
【図２３】
2014197272.tif 000025
【図２４】
2014197272.tif 000026
【図２５】
2014197272.tif 000027